(57)【特許請求の範囲】
【請求項１】
単一搬送波周波数分割多元接続（ＳＣ−ＦＤＭＡ）を使用する通信システムのための送信方法において、
前記送信方法は、
変調されたシンボルのデータのシリアルからパラレルへのコンバートを実行して、第１のシーケンスのサンプルを取得することと、
前記第１のシーケンスのサンプルの時間ドメインの操作を実行して、第２のシーケンスのサンプルを取得することと、
前記第２のシーケンスのサンプル上で時間から周波数への変換を実行して、第３のシーケンスのサンプルを取得することと、
前記第３のシーケンスのサンプルの周波数ドメインの操作を実行して、第４のシーケンスのサンプルを取得することと、
前記第４のシーケンスのサンプル上で周波数から時間への変換を実行して、第５のシーケンスのサンプルを取得することと、
前記第５のシーケンスのサンプルのパラレルからシリアルへのコンバートを実行して、第６のシーケンスのサンプルを取得することと、
ワイヤレスチャネルを通して、前記第６のシーケンスのサンプルを送信することとを含み、
前記第５のシーケンスのサンプルの数は、前記第３のシーケンスのサンプルの数よりも多く、
前記第１のシーケンスのサンプルの時間ドメインの操作を実行して、第２のシーケンスのサンプルを取得することは、前記第１のシーケンスのサンプルの、オーバーサンプリングと連続位相変調とを含み、
前記第３のシーケンスのサンプルの周波数ドメインの操作を実行して、第４のシーケンスのサンプルを取得することは、前記第３のシーケンスのサンプルの帯域幅を低減させることと、前記低減された帯域幅を持つ前記第３のシーケンスのサンプルをフィルタリングすることとを含む送信方法。
【請求項２】
前記第２のシーケンスのサンプル上で変換を実行して、第３のシーケンスのサンプルを取得することは、高速フーリエ変換（ＦＦＴ）を実行することを含み、
前記第４のシーケンスのサンプル上で変換を実行して、第５のシーケンスのサンプルを取得することは、逆高速フーリエ変換（ＩＦＦＴ）を実行することを含む請求項１記載の方法。
【請求項３】
前記第２のシーケンスのサンプルの数は、前記第１のシーケンスのサンプルの数よりも多く、前記第４のシーケンスのサンプルの数は、前記第３のシーケンスのサンプルの数よりも少ない請求項１記載の方法。
【請求項４】
前記フィルタリングすることは、ルートレイズドコサイン（ＲＲＣ）フィルタリングすることを含む請求項１記載の方法。
【請求項５】
単一搬送波周波数分割多元接続（ＳＣ−ＦＤＭＡ）を使用する通信システムのための装置において、
前記装置は、
変調されたシンボルのデータのシリアルからパラレルへのコンバートを実行して、第１のシーケンスのサンプルを取得するためのロジックと、
前記第１のシーケンスのサンプルの時間ドメインの操作を実行して、第２のシーケンスのサンプルを取得するためのロジックと、
前記第２のシーケンスのサンプル上で時間から周波数への変換を実行して、第３のシーケンスのサンプルを取得するためのロジックと、
前記第３のシーケンスのサンプルの周波数ドメインの操作を実行して、第４のシーケンスのサンプルを取得するためのロジックと、
前記第４のシーケンスのサンプル上で周波数から時間への変換を実行して、第５のシーケンスのサンプルを取得するためのロジックと、
前記第５のシーケンスのサンプルのパラレルからシリアルへのコンバートを実行して、第６のシーケンスのサンプルを取得するためのロジックと、
ワイヤレスチャネルを通して、前記第６のシーケンスのサンプルを送信するためのロジックとを具備し、
前記第５のシーケンスのサンプルの数は、前記第３のシーケンスのサンプルの数よりも多く、
前記第１のシーケンスのサンプルの時間ドメインの操作を実行して、第２のシーケンスのサンプルを取得するためのロジックは、前記第１のシーケンスのサンプルの、オーバーサンプリングと連続位相変調とを実行するためのロジックを備え、
前記第３のシーケンスのサンプルの周波数ドメインの操作を実行して、第４のシーケンスのサンプルを取得するためのロジックは、前記第３のシーケンスのサンプルの帯域幅を低減させるためのロジックと、前記低減された帯域幅を持つ前記第３のシーケンスのサンプルをフィルタリングするためのロジックとを備える装置。
【請求項６】
前記第２のシーケンスのサンプル上で変換を実行して、第３のシーケンスのサンプルを取得するためのロジックは、高速フーリエ変換（ＦＦＴ）を実行するためのロジックを備え、
前記第４のシーケンスのサンプル上で変換を実行して、第５のシーケンスのサンプルを取得するためのロジックは、逆高速フーリエ変換（ＩＦＦＴ）を実行するためのロジックを備える請求項５記載の装置。
【請求項７】
前記第２のシーケンスのサンプルの数は、前記第１のシーケンスのサンプルの数よりも多く、前記第４のシーケンスのサンプルの数は、前記第３のシーケンスのサンプルの数よりも少ない請求項５記載の装置。
【請求項８】
前記フィルタリングするためのロジックは、ルートレイズドコサイン（ＲＲＣ）フィルタリングするためのロジックを備える請求項５記載の装置。
【請求項９】
単一搬送波周波数分割多元接続（ＳＣ−ＦＤＭＡ）を使用する通信システムのための装置において、
前記装置は、
変調されたシンボルのデータのシリアルからパラレルへのコンバートを実行して、第１のシーケンスのサンプルを取得する手段と、
前記第１のシーケンスのサンプルの時間ドメインの操作を実行して、第２のシーケンスのサンプルを取得する手段と、
前記第２のシーケンスのサンプル上で時間から周波数への変換を実行して、第３のシーケンスのサンプルを取得する手段と、
前記第３のシーケンスのサンプルの周波数ドメインの操作を実行して、第４のシーケンスのサンプルを取得する手段と、
前記第４のシーケンスのサンプル上で周波数から時間への変換を実行して、第５のシーケンスのサンプルを取得する手段と、
前記第５のシーケンスのサンプルのパラレルからシリアルへのコンバートを実行して、第６のシーケンスのサンプルを取得する手段と、
ワイヤレスチャネルを通して、前記第６のシーケンスのサンプルを送信する手段とを具備し、
前記第５のシーケンスのサンプルの数は、前記第３のシーケンスのサンプルの数よりも多く、
前記第１のシーケンスのサンプルの時間ドメインの操作を実行して、第２のシーケンスのサンプルを取得する手段は、前記第１のシーケンスのサンプルの、オーバーサンプリングと連続位相変調とのための手段を備え、
前記第３のシーケンスのサンプルの周波数ドメインの操作を実行して、第４のシーケンスのサンプルを取得する手段は、前記第３のシーケンスのサンプルの帯域幅を低減させる手段と、前記低減された帯域幅を持つ前記第３のシーケンスのサンプルをフィルタリングする手段とを備える装置。
【請求項１０】
前記第２のシーケンスのサンプル上で変換を実行して、第３のシーケンスのサンプルを取得する手段は、高速フーリエ変換（ＦＦＴ）を実行する手段を備え、
前記第４のシーケンスのサンプル上で変換を実行して、第５のシーケンスのサンプルを取得する手段は、逆高速フーリエ変換（ＩＦＦＴ）を実行する手段を備える請求項９記載の装置。
【請求項１１】
前記第２のシーケンスのサンプルの数は、前記第１のシーケンスのサンプルの数よりも多く、前記第４のシーケンスのサンプルの数は、前記第３のシーケンスのサンプルの数よりも少ない請求項９記載の装置。
【請求項１２】
前記フィルタリングする手段は、ルートレイズドコサイン（ＲＲＣ）フィルタリングする手段を備える請求項９記載の装置。
【請求項１３】
そこに記憶されている命令を有しており、単一搬送波周波数分割多元接続（ＳＣ−ＦＤＭＡ）を使用する通信システムのためのコンピュータ読み取り可能記憶媒体において、
前記命令は、１つ以上のプロセッサによって実行可能であり、
前記命令は、
変調されたシンボルのデータのシリアルからパラレルへのコンバートを実行して、第１のシーケンスのサンプルを取得するための命令と、
前記第１のシーケンスのサンプルの時間ドメインの操作を実行して、第２のシーケンスのサンプルを取得するための命令と、
前記第２のシーケンスのサンプル上で時間から周波数への変換を実行して、第３のシーケンスのサンプルを取得するための命令と、
前記第３のシーケンスのサンプルの周波数ドメインの操作を実行して、第４のシーケンスのサンプルを取得するための命令と、
前記第４のシーケンスのサンプル上で周波数から時間への変換を実行して、第５のシーケンスのサンプルを取得するための命令と、
前記第５のシーケンスのサンプルのパラレルからシリアルへのコンバートを実行して、第６のシーケンスのサンプルを取得するための命令と、
ワイヤレスチャネルを通して、前記第６のシーケンスのサンプルを送信するための命令とを含み、
前記第５のシーケンスのサンプルの数は、前記第３のシーケンスのサンプルの数よりも多く、
前記第１のシーケンスのサンプルの時間ドメインの操作を実行して、第２のシーケンスのサンプルを取得するための命令は、前記第１のシーケンスのサンプルの、オーバーサンプリングと連続位相変調とのための命令を含み、
前記第３のシーケンスのサンプルの周波数ドメインの操作を実行して、第４のシーケンスのサンプルを取得するための命令は、前記第３のシーケンスのサンプルの帯域幅を低減させるための命令と、前記低減された帯域幅を持つ前記第３のシーケンスのサンプルをフィルタリングするための命令とを含むコンピュータ読み取り可能記憶媒体。
【請求項１４】
前記第２のシーケンスのサンプル上で変換を実行して、第３のシーケンスのサンプルを取得するための命令は、高速フーリエ変換（ＦＦＴ）を実行するための命令を含み、
前記第４のシーケンスのサンプル上で変換を実行して、第５のシーケンスのサンプルを取得するための命令は、逆高速フーリエ変換（ＩＦＦＴ）を実行するための命令を含む請求項１３記載のコンピュータ読み取り可能記憶媒体。
【請求項１５】
前記第２のシーケンスのサンプルの数は、前記第１のシーケンスのサンプルの数よりも多く、前記第４のシーケンスのサンプルの数は、前記第３のシーケンスのサンプルの数よりも少ない請求項１３記載のコンピュータ読み取り可能記憶媒体。
【請求項１６】
前記フィルタリングするための命令は、ルートレイズドコサイン（ＲＲＣ）フィルタリングするための命令を含む請求項１３記載のコンピュータ読み取り可能記憶媒体。
【発明の詳細な説明】
【優先権主張】
【０００１】
本特許出願は、「ＳＣ−ＦＤＭＡシステム向けの、時間ドメインＰＡＰＲ低減方法およびシステム」と題する、２００８年１２月３１日に出願された米国仮特許出願シリアル番号第６１／１４２，１６２号と、「ＳＣ−ＦＭＡシステムにおける、ＰＡＰＲ低減のための方法およびシステム」と題する、２００９年２月２５日に出願された米国仮特許出願シリアル番号第６１／１５５，５１４号とから、優先権の利益を主張しており、これらの出願両方とも、本特許出願の譲受人に譲渡され、すべての目的に対して参照によりここに完全に組み込まれている。
【技術分野】
【０００２】
本開示は、一般的に、ワイヤレス通信に関連する。さらに詳細には、単一搬送波周波数分割多元接続（ＳＣ−ＦＤＭＡ)システムにおけるピーク対平均電力比（ＰＡＰＲ）を低減させるための方法に関連する。
【概要】
【０００３】
本開示のいくつかの実施形態は、単一搬送波周波数分割多元接続（ＳＣ−ＦＤＭＡ）を使用する通信システムのための送信方法を提供する。方法は、一般的に、変調シンボルのデータのシリアルからパラレルへのコンバートを実行して、第１のシーケンスのサンプルを取得することと、第１のシーケンスのサンプルの時間ドメインの操作を実行して、第２のシーケンスのサンプルを取得する（第１のシーケンスのサンプルの時間ドメインの操作を実行して、第２のシーケンスのサンプルを取得することは、第１のシーケンスのサンプル上で位相回転を実行することとを含んでいてもよい）ことと、第２のシーケンスのサンプル上で時間から周波数への変換を実行して、第３のシーケンスのサンプルを取得することと、第３のシーケンスのサンプル上で周波数から時間への変換を実行して、第４のシーケンスのサンプルを取得することと、第４のシーケンスのサンプル上でパラレルからシリアルへのコンバートを実行して、第５のシーケンスのサンプルを取得することと、ワイヤレスチャネルを通して、第５のシーケンスのサンプルを送信することとを含み、第４のシーケンスのサンプルの数は、第３のシーケンスのサンプルの数よりも多い。
【０００４】
本開示のいくつかの実施形態は、単一搬送波周波数分割多元接続（ＳＣ−ＦＤＭＡ）を使用する通信システムのための送信方法を提供する。方法は、一般的に、変調シンボルのデータのシリアルからパラレルへのコンバートを実行して、第１のシーケンスのサンプルを取得することと、第１のシーケンスのサンプル上で時間から周波数への変換を実行して、第２のシーケンスのサンプルを取得することと、第２のシーケンスのサンプルの周波数ドメインの操作を実行して、第３のシーケンスのサンプルを取得することと、第３のシーケンスのサンプル上で周波数から時間への変換を実行して、第４のシーケンスのサンプルを取得することと、第４のシーケンスのサンプルのパラレルからシリアルへのコンバートを実行して、第５のシーケンスのサンプルを取得することと、ワイヤレスチャネルを通して、第５のシーケンスのサンプルを送信することとを含み、第４のシーケンスのサンプルの数は、第２のシーケンスのサンプルの数よりも多い。
【０００５】
本開示のいくつかの実施形態は、単一搬送波周波数分割多元接続（ＳＣ−ＦＤＭＡ）を使用する通信システムのための送信方法を提供する。方法は、一般的に、変調シンボルのデータのシリアルからパラレルへのコンバートを実行して、第１のシーケンスのサンプルを取得することと、第１のシーケンスのサンプルの時間ドメインの操作を実行して、第２のシーケンスのサンプルを取得することと、第２のシーケンスのサンプル上で時間から周波数への変換を実行して、第３のシーケンスのサンプルを取得することと、第３のシーケンスのサンプルの周波数ドメインの操作を実行して、第４のシーケンスのサンプルを取得することと、第４のシーケンスのサンプル上で周波数から時間への変換を実行して、第５のシーケンスのサンプルを取得することと、第５のシーケンスのサンプルのパラレルからシリアルへのコンバートを実行して、第６のシーケンスのサンプルを取得することと、ワイヤレスチャネルを通して、第６のシーケンスのサンプルを送信することとを含み、第５のシーケンスのサンプルの数は、第３のシーケンスのサンプルの数よりも多い。
【０００６】
本開示のいくつかの実施形態は、単一搬送波周波数分割多元接続（ＳＣ−ＦＤＭＡ）を使用する通信システムのための装置を提供する。装置は、一般的に、変調シンボルのデータのシリアルからパラレルへのコンバートを実行して、第１のシーケンスのサンプルを取得するロジックと、第１のシーケンスのサンプルの時間ドメインの操作を実行して、第２のシーケンスのサンプルを取得するロジックと（第１のシーケンスのサンプルの時間ドメインの操作を実行して、第２のシーケンスのサンプルを取得するロジックは、第１のシーケンスのサンプル上で位相回転を実行するロジックを含んでいてもよい）、第２のシーケンスのサンプル上で時間から周波数への変換を実行して、第３のシーケンスのサンプルを取得するロジックと、第３のシーケンスのサンプル上で周波数から時間への変換を実行して、第４のシーケンスのサンプルを取得するロジックと、第４のシーケンスのサンプルのパラレルからシリアルへのコンバートを実行して、第５のシーケンスのサンプルを取得するロジックと、ワイヤレスチャネルを通して、第５のシーケンスのサンプルを送信するロジックとを含み、第４のシーケンスのサンプルの数は、第３のシーケンスのサンプルの数よりも多い。
【０００７】
本開示のいくつかの実施形態は、単一搬送波周波数分割多元接続（ＳＣ−ＦＤＭＡ）を使用する通信システムのための装置を提供する。装置は、一般的に、変調シンボルのデータのシリアルからパラレルへのコンバートを実行して、第１のシーケンスのサンプルを取得するロジックと、第１のシーケンスのサンプル上で時間から周波数への変換を実行して、第２のシーケンスのサンプルを取得するロジックと、第２のシーケンスのサンプルの周波数ドメインの操作を実行して、第３のシーケンスのサンプルを取得するロジックと、第３のシーケンスのサンプル上で周波数から時間への変換を実行して、第４のシーケンスのサンプルを取得するロジックと、第４のシーケンスのサンプルのパラレルからシリアルへのコンバートを実行して、第５のシーケンスのサンプルを取得するロジックと、ワイヤレスチャネルを通して、第５のシーケンスのサンプルを送信するロジックとを備え、第４のシーケンスのサンプルの数は、第２のシーケンスのサンプルの数よりも多い。
【０００８】
本開示のいくつかの実施形態は、単一搬送波周波数分割多元接続（ＳＣ−ＦＤＭＡ）を使用する通信システムのための装置を提供する。装置は、一般的に、変調シンボルのデータのシリアルからパラレルへのコンバートを実行して、第１のシーケンスのサンプルを取得するロジックと、第１のシーケンスのサンプルの時間ドメインの操作を実行して、第２のシーケンスのサンプルを取得するロジックと、第２のシーケンスのサンプル上で時間から周波数への変換を実行して、第３のシーケンスのサンプルを取得するロジックと、第３のシーケンスのサンプルの周波数ドメインの操作を実行して、第４のシーケンスのサンプルを取得するロジックと、第４のシーケンスのサンプル上で周波数から時間への変換を実行して、第５のシーケンスのサンプルを取得するロジックと、第５のシーケンスのサンプルのパラレルからシリアルへのコンバートを実行して、第６のシーケンスのサンプルを取得するロジックと、ワイヤレスチャネルを通して、第６のシーケンスのサンプルを送信するロジックとを備え、第５のシーケンスのサンプルの数は、第３のシーケンスのサンプルの数よりも多い。
【０００９】
本開示のいくつかの実施形態は、単一搬送波周波数分割多元接続（ＳＣ−ＦＤＭＡ）を使用する通信システムのための装置を提供する。装置は、一般的に、変調シンボルのデータのシリアルからパラレルへのコンバートを実行して、第１のシーケンスのサンプルを取得する手段と、第１のシーケンスのサンプルの時間ドメインの操作を実行して、第２のシーケンスのサンプルを取得する手段と（第１のシーケンスのサンプルの時間ドメインの操作を実行して、第２のシーケンスのサンプルを取得する手段は、第１のシーケンスのサンプル上で位相回転を実行する手段を含んでいてもよい）、第２のシーケンスのサンプル上で時間から周波数への変換を実行して、第３のシーケンスのサンプルを取得する手段と、第３のシーケンスのサンプル上で周波数から時間への変換を実行して、第４のシーケンスのサンプルを取得する手段と、第４のシーケンスのサンプルのパラレルからシリアルへのコンバートを実行して、第５のシーケンスのサンプルを取得する手段と、ワイヤレスチャネルを通して、第５のシーケンスのサンプルを送信する手段とを備え、第４のシーケンスのサンプルの数は、第３のシーケンスのサンプルの数よりも多い。
【００１０】
本開示のいくつかの実施形態は、単一搬送波周波数分割多元接続（ＳＣ−ＦＤＭＡ）を使用する通信システムのための装置を提供する。装置は、一般的に、変調シンボルのデータのシリアルからパラレルへのコンバートを実行して、第１のシーケンスのサンプルを取得する手段と、第１のシーケンスのサンプル上で時間から周波数への変換を実行して、第２のシーケンスのサンプルを取得する手段と、第２のシーケンスのサンプルの周波数ドメインの操作を実行して、第３のシーケンスのサンプルを取得する手段と、第３のシーケンスのサンプル上で周波数から時間への変換を実行して、第４のシーケンスのサンプルを取得する手段と、第４のシーケンスのサンプルのパラレルからシリアルへのコンバートを実行して、第５のシーケンスのサンプルを取得する手段と、ワイヤレスチャネルを通して、第５のシーケンスのサンプルを送信する手段とを備え、第４のシーケンスのサンプルの数は、第２のシーケンスのサンプルの数よりも多い。
【００１１】
本開示のいくつかの実施形態は、単一搬送波周波数分割多元接続（ＳＣ−ＦＤＭＡ）を使用する通信システムのための装置を提供する。装置は、一般的に、変調シンボルのデータのシリアルからパラレルへのコンバートを実行して、第１のシーケンスのサンプルを取得する手段と、第１のシーケンスのサンプルの時間ドメインの操作を実行して、第２のシーケンスのサンプルを取得する手段と、第２のシーケンスのサンプル上で時間から周波数への変換を実行して、第３のシーケンスのサンプルを取得する手段と、第３のシーケンスのサンプルの周波数ドメインの操作を実行して、第４のシーケンスのサンプルを取得する手段と、第４のシーケンスのサンプル上で周波数から時間への変換を実行して、第５のシーケンスのサンプルを取得する手段と、第５のシーケンスのサンプルのパラレルからシリアルへのコンバートを実行して、第６のシーケンスのサンプルを取得する手段と、ワイヤレスチャネルを通して、第６のシーケンスのサンプルを送信する手段とを備え、第５のシーケンスのサンプルの数は、第３のシーケンスのサンプルの数よりも多い。
【００１２】
本開示のいくつかの実施形態は、単一搬送波周波数分割多元接続（ＳＣ−ＦＤＭＡ）を使用する通信システムのためのコンピュータプログラムプロダクトを提供し、コンピュータプログラムプロダクトは、コンピュータ読み取り可能媒体を含み、コンピュータ読み取り可能媒体は、ここに記憶されている命令を有し、命令は、１つ以上のプロセッサによって実行可能である。命令は、一般的に、変調シンボルのデータのシリアルからパラレルへのコンバートを実行して、第１のシーケンスのサンプルを取得する命令と、第１のシーケンスのサンプルの時間ドメインの操作を実行して、第２のシーケンスのサンプルを取得する命令と（第１のシーケンスのサンプルの時間ドメインの操作を実行して、第２のシーケンスのサンプルを取得する命令は、第１のシーケンスのサンプル上で位相回転を実行するこ命令を含んでいてもよい）、第２のシーケンスのサンプル上で時間から周波数への変換を実行して、第３のシーケンスのサンプルを取得する命令と、第３のシーケンスのサンプル上で周波数から時間への変換を実行して、第４のシーケンスのサンプルを取得する命令と、第４のシーケンスのサンプルのパラレルからシリアルへのコンバートを実行して、第５のシーケンスのサンプルを取得する命令と、ワイヤレスチャネルを通して、第５のシーケンスのサンプルを送信する命令とを含み、第４のシーケンスのサンプルの数は、第３のシーケンスのサンプルの数よりも多い。
【００１３】
本開示のいくつかの実施形態は、単一搬送波周波数分割多元接続（ＳＣ−ＦＤＭＡ）を使用する通信システムのためのコンピュータプログラムプロダクトを提供し、コンピュータプログラムプロダクトは、コンピュータ読み取り可能媒体を含み、コンピュータ読み取り可能媒体は、ここに記憶されている命令を有し、命令は、１つ以上のプロセッサによって実行可能である。命令は、一般的に、変調シンボルのデータのシリアルからパラレルへのコンバートを実行して、第１のシーケンスのサンプルを取得する命令と、第１のシーケンスのサンプル上で時間から周波数への変換を実行して、第２のシーケンスのサンプルを取得する命令と、第２のシーケンスのサンプルの周波数ドメインの操作を実行して、第３のシーケンスのサンプルを取得する命令と、第３のシーケンスのサンプル上で周波数から時間への変換を実行して、第４のシーケンスのサンプルを取得する命令と、第４のシーケンスのサンプルのパラレルからシリアルへのコンバートを実行して、第５のシーケンスのサンプルを取得する命令と、ワイヤレスチャネルを通して、第５のシーケンスのサンプルを送信する命令とを含み、第４のシーケンスのサンプルの数は、第２のシーケンスのサンプルの数よりも多い。
【００１４】
本開示のいくつかの実施形態は、単一搬送波周波数分割多元接続（ＳＣ−ＦＤＭＡ）を使用する通信システムのためのコンピュータプログラムプロダクトを提供し、コンピュータプログラムプロダクトは、コンピュータ読み取り可能媒体を含み、コンピュータ読み取り可能媒体は、ここに記憶されている命令を有し、命令は、１つ以上のプロセッサによって実行可能である。命令は、一般的に、命令は、変調シンボルのデータのシリアルからパラレルへのコンバートを実行して、第１のシーケンスのサンプルを取得する命令と、第１のシーケンスのサンプルの時間ドメインの操作を実行して、第２のシーケンスのサンプルを取得する命令と、第２のシーケンスのサンプル上で時間から周波数への変換を実行して、第３のシーケンスのサンプルを取得する命令と、第３のシーケンスのサンプルの周波数ドメインの操作を実行して、第４のシーケンスのサンプルを取得する命令と、第４のシーケンスのサンプル上で周波数から時間への変換を実行して、第５のシーケンスのサンプルを取得する命令と、第５のシーケンスのサンプルのパラレルからシリアルへのコンバートを実行して、第６のシーケンスのサンプルを取得する命令と、ワイヤレスチャネルを通して、第６のシーケンスのサンプルを送信する命令とを含み、第５のシーケンスのサンプルの数は、第３のシーケンスのサンプルの数よりも多い。
【図面の簡単な説明】
【００１５】
上記に記載した本開示の特徴を詳細に理解できるように、上記において簡潔に要約した、より特定した説明を、実施形態の参照することにより行う。これらのうちのいくつかを添付図面で図示した。しかしながら、添付した図面は、本開示のいくつかの典型的な実施形態のみを図示しており、ゆえに、本開示の範囲の限定として考えるべきではなく、説明のために、他の同等に効果的な実施形態が認められてもよいことに留意すべきである。  
【図１】図１は、本開示のいくつかの実施形態にしたがった、例示的なワイヤレス通信システムを図示している。
【図２】図２は、本開示のいくつかの実施形態にしたがった、ワイヤレスデバイスにおいて利用してもよい、さまざまなコンポーネントを図示している。
【図３】図３は、本開示のいくつかの実施形態にしたがった、単一搬送波周波数分割多元接続（ＳＣ−ＦＤＭＡ）送信を図示している。
【図４】図４は、本開示のいくつかの実施形態にしたがって、単一搬送波周波数分割多元接続（ＳＣ−ＦＤＭＡ）送信機において時間および／または周波数ドメイン信号の操作を適用することによって、送信信号のピーク対平均電力比（ＰＡＰＲ）を低減させるための例示的な動作を図示している。
【図４Ａ】図４Ａは、図４中で図示した動作を実行することができる例示的なコンポーネントを図示している。
【図５】図５は、本開示のいくつかの実施形態にしたがった、時間ドメイン信号の位相回転に基づくＰＡＰＲ低減スキームを備えたＳＣ−ＦＤＭＡ送信機の例示的なブロック図を図示している。
【図６Ａ】図６Ａは、本開示のいくつかの実施形態にしたがった、オリジナル信号と、位相回転されたバイナリ位相シフトキーイング（ＢＰＳＫ）信号との位相配列を図示している。
【図６Ｂ】図６Ｂは、本開示のいくつかの実施形態にしたがった、オリジナル信号と、位相回転された直角位相シフトキーイング（ＱＰＳＫ）信号との位相配列を図示している。
【図７Ａ】図７Ａは、本開示のいくつかの実施形態にしたがった、オリジナル信号と、位相回転されたＢＰＳＫ信号との例示的なＰＡＰＲ性能のグラフを図示している。
【図７Ｂ】図７Ｂは、本開示のいくつかの実施形態にしたがった、オリジナル信号と、位相回転されたＱＰＳＫ信号との例示的なＰＡＰＲ性能のグラフを図示している。
【図８】図８は、本開示のいくつかの実施形態にしたがった、周波数ドメインの操作に基づくＰＡＰＲ低減スキームを備えたＳＣ−ＦＤＭＡ送信機の例示的なブロック図を図示している。
【図９Ａ】図９Ａは、本開示のいくつかの実施形態にしたがった、ＢＰＳＫ変調信号に対して適用された置換行列の置換位置の関数とした、例示的なＰＡＰＲ性能のグラフを図示している。
【図９Ｂ】図９Ｂは、本開示のいくつかの実施形態にしたがった、ＱＰＳＫ変調信号に対して適用された置換行列の置換位置の関数とした、例示的なＰＡＰＲ性能のグラフを図示している。
【図９Ｃ】図９Ｃは、本開示のいくつかの実施形態にしたがった、１６ＱＡＭ変調信号に対して適用された置換行列の置換位置の関数とした、例示的なＰＡＰＲ性能のグラフを図示している。
【図１０】図１０は、本開示のいくつかの実施形態にしたがった、好ましい周波数ドメインの置換が適用されたときの、ＢＰＳＫ、ＱＰＳＫ、および１６−ＱＡＭ信号の例示的なＰＡＰＲ性能のグラフを図示している。
【図１１】図１１は、本開示のいくつかの実施形態にしたがった、周波数ドメインの帯域幅拡張に基づくＰＡＰＲ低減スキームを備えたＳＣ−ＦＤＭＡ送信機の例示的なブロック図を図示している。
【図１２】図１２は、本開示のいくつかの実施形態にしたがった、周波数ドメインの帯域幅拡張を図示している。
【図１３Ａ】図１３Ａは、本開示のいくつかの実施形態にしたがった、周波数ドメインの帯域幅拡張が適用されたときの、ＢＰＳＫ信号の例示的なＰＡＰＲ性能のグラフを図示している。
【図１３Ｂ】図１３Ｂは、本開示のいくつかの実施形態にしたがった、周波数ドメインの帯域幅拡張が適用されたときの、ＱＰＳＫ信号の例示的なＰＡＰＲ性能のグラフを図示している。
【図１３Ｃ】図１３Ｃは、本開示のいくつかの実施形態にしたがった、周波数ドメインの帯域幅拡張が適用されたときの、１６−ＱＡＭ信号の例示的なＰＡＰＲ性能のグラフを図示している。
【図１４】図１４は、本開示のいくつかの実施形態にしたがった、周波数ドメインにおける、置換と帯域幅拡張とに基づくＰＡＰＲ低減スキームを備えたＳＣ−ＦＤＭＡ送信機の例示的なブロック図を図示している。
【図１５】図１５は、本開示のいくつかの実施形態にしたがった、周波数ドメインにおける置換と帯域幅拡張とを適用したときの、ＱＰＳＫ信号の例示的なＰＡＰＲ性能のグラフを図示している。
【図１６】図１６は、本開示のいくつかの実施形態にしたがった、時間ドメインの回転と周波数ドメインの帯域幅拡張とに基づくＰＡＰＲ低減スキームを備えたＳＣ−ＦＤＭＡ送信機の例示的なブロック図を図示している。
【図１７】図１７は、本開示のいくつかの実施形態にしたがった、時間ドメインの位相回転と周波数ドメインの帯域幅回転とを適用したときの、ＱＰＳＫ信号の例示的なＰＡＰＲ性能のグラフを図示している。
【図１８】図１８は、本開示のいくつかの実施形態にしたがった、帯域幅縮小と組み合わせた連続位相変調（ＣＰＭ）方法に基づくＰＡＰＲ低減スキームを備えたＳＣ−ＦＤＭＡ送信機の例示的なブロック図を図示している。
【図１９Ａ】図１９Ａは、本開示のいくつかの実施形態にしたがった、ルートレイズドコサイン（ＲＲＣ）フィルタリングせずに、帯域幅縮小とＣＰＭとを適用したときの、ＱＰＳＫ信号の例示的なＰＡＰＲ性能のグラフを図示している。
【図１９Ｂ】図１９Ｂは、本開示のいくつかの実施形態にしたがった、ルートレイズドコサイン（ＲＲＣ）フィルタリングする、帯域幅縮小とＣＰＭとを適用したときの、ＱＰＳＫ信号の例示的なＰＡＰＲ性能のグラフを図示している。
【詳細な説明】
【００１６】
「例として、事例として、または実例として機能すること」を意味するために、「例示的な」という用語をここで使用する。「例示的な」ものとして、ここで記述するいずれの実施形態も、他の実施形態と比較して、必ずしも、好ましいまたは効果的なものと解釈されるものではない。
【００１７】
直交周波数分割多重化（ＯＦＤＭ）は、周波数帯域（例えば、システム帯域幅）を複数の直交サブバンドに区分する多重搬送波スキームである。これらのサブバンドは、トーンや、副搬送波や、ビンとも呼ばれる。ＯＦＤＭスキームを適用することによって、それぞれのサブバンドは、データで独立的に変調され得る各副搬送波に関係付けることができる。
【００１８】
ＯＦＤＭスキームには、例えば、高スペクトル効率性や、マルチパス効果に対するロバストネスのような、いくつかの好ましい特性がある。しかしながら、ＯＦＤＭスキームの主な欠点は、高いピーク対平均電力比（ＰＡＰＲ）である。すなわち、ＯＦＤＭ波形のピーク電力対平均電力の比が高いことがあるということである。すべての副搬送波が、データで独立的に変調されているときに、ＯＦＤＭ波形の高いＰＡＰＲは、結果的に、すべての副搬送波の同相の加算から生じる。実際に、ＯＦＤＭ波形のピーク電力は、平均電力のＮ倍まで高くなり得ることが示されている。ここで、Ｎは、直交サブバンドの数である。
【００１９】
ＯＦＤＭ信号の高いＰＡＰＲは、性能を劣化させるかもしれない。例えば、ＯＦＤＭ波形の大きいピークは、送信機における電力増幅器をかなり非線形な領域中で動作させ、またはおそらくはクリップさせ、このことは、相互変調や、歪みや、信号品質を劣化させ得る他のアーティファクトを生じさせるだろう。劣化した信号品質は、チャネル推定、データ検出、およびチャネルデコーディングの精度に悪影響を与えることがある。
【００２０】
単一搬送波周波数分割多元接続（ＳＣ−ＦＤＭＡ）送信を用いることによって、ＰＡＰＲを低減させることができる。これは、新しいロングタームエボリューション（ＬＴＥ）ワイヤレスシステムで実現されており、離散フーリエ変換（ＤＦＴ）拡散ＯＦＤＭとしても知られている。しかしながら、成分信号のさまざまな時間および／または周波数ドメインの操作を実現することによって、ＰＡＰＲをさらに低減させることが可能である。これにより、電力増幅器の、さらに高い効率性が得られ、このことは、送信機のバッテリー寿命を向上させることもできる。
【００２１】
例示的なワイヤレス通信システム
図１は、本開示の実施形態を用いてもよいワイヤレス通信システム１００の例を図示している。ワイヤレス通信システム１００は、ブロードバンドワイヤレス通信システムであってもよい。ワイヤレス通信システム１００は、多数のセル１０２に対する通信を提供してもよく、このセルのそれぞれは、基地局１０４によってサービスが提供される。基地局１０４は、ユーザ端末１０６と通信する固定局であってもよい。代替的に、基地局１０４を、アクセスポイント、ノードＢと呼ぶこともあり、または他の何らかの専門用語で呼ぶこともある。
【００２２】
図１は、システム１００全体を通して分散されているさまざまなユーザ端末１０６を図示している。ユーザ端末１０６は、固定のもの（すなわち、静的）または移動性のものであってもよい。ユーザ端末１０６を、代替的に、遠隔局、アクセス端末、端末、加入者ユニット、移動局、局、ユーザ機器等と呼ぶことがある。ユーザ端末１０６は、セルラ電話機、パーソナルデジタルアシスタント（ＰＤＡ）、ハンドヘルドデバイス、ワイヤレスモデム、ラップトップコンピュータ、パーソナルコンピュータ等のようなワイヤレスデバイスであってもよい。
【００２３】
ワイヤレス通信システム１００における、基地局１０４とユーザ端末１０６との間の送信に対して、さまざまなアルゴリズムおよび方法を使用してもよい。例えば、信号は、単一搬送波周波数分割多元接続（ＳＣ−ＦＤＭＡ）技術にしたがって、基地局１０４とユーザ端末１０６との間で送信および受信されてもよい。このケースである場合、ワイヤレス通信システム１００を、ＳＣ−ＦＤＭＡシステムと呼ぶことがある。
【００２４】
基地局１０４からユーザ端末１０６への送信を促進する通信リンクを、ダウンリンク（ＤＬ）１０８と呼ぶことがあり、ユーザ端末１０６から基地局１０４に対する送信を促進する通信リンクを、アップリンク（ＵＬ）１１０と呼ぶことがある。代替的に、ダウンリンク１０８を、フォワードリンクまたはフォワードチャネルと呼ぶこともあり、そして、アップリンク１１０をリバースリンクまたはリバースチャネルと呼ぶこともある。
【００２５】
セル１０２は、複数のセクタ１１２に分割されていてもよい。セクタ１１２は、セル１０２内の物理カバーレジエリアである。ワイヤレス通信システム１００内の基地局１０４は、セル１０２の特定のセクタ１１２内に電力フローを集中させるアンテナを利用してもよい。このようなアンテナを、指向性アンテナと呼ぶことがある。
【００２６】
システム１００は、単一搬送波周波数分割多元接続（ＳＣ−ＦＤＭＡ）、直交周波数分割多元接続（ＯＦＤＭＡ）、および／または他の何らかの多重化スキームを利用してもよい。ＳＣ−ＦＤＭＡは、周波数帯域にわたって分散されているサブバンド上でデータを送信するインターリーブドＦＤＭＡ（ＩＦＤＭＡ）や、隣接サブバンドのグループ上でデータを送信するローカライズドＦＤＭＡ（ＬＦＤＭＡ）や、隣接サブバンドの複数のグループ上でデータを送信するエンハンスドＦＤＭＡ（ＥＦＤＭＡ）を含む。ＩＦＤＭＡは、分散型ＦＤＭＡとも呼ばれ、ＬＦＤＭＡは、狭帯域幅ＦＤＭＡや、典型的ＦＤＭＡや、ＦＤＭＡとも呼ばれる。ＯＦＤＭＡは、ＯＦＤＭを利用する。変調シンボルは、時間ドメイン中ではＩＦＭＤＡ、ＬＦＤＭＡ、ＥＦＤＭＡにより送られ、周波数ドメイン中ではＯＦＤＭにより送られる。一般的に、システム１００は、フォワードリンクおよびリバースリンクに対して１つ以上の多重化スキームを利用できる。例えば、システム１００は、（１）フォワードリンクおよびリバースリンクの両方に対してＳＣ−ＦＤＭＡ（例えば、ＩＦＤＭＡ、ＬＦＤＭＡ、またはＥＦＤＭＡ）を、（２）一方のリンクに対してはＳＣ−ＦＤＭＡの１つのバージョン（例えば、ＥＦＤＭＡ）と、他方のリンクに対してはＳＣ−ＦＤＭＡの別のバージョンと（例えば、ＩＦＤＭＡ）を、（３）リバースリンクに対してはＳＣ−ＦＤＭＡと、フォワードリンクに対してはＯＦＤＭＡとを、または（４）多重化スキームの他の何らかの組み合わせを利用してもよい。所望の性能を達成するために、それぞれのリンクに対して、ＳＣ−ＦＤＭＡ、ＯＦＤＭＡ、および／または他の何らかの多重化スキーム、または、これらを組み合わせたものを使用してもよい。例えば、所定のリンクに対してＳＣ−ＦＤＭＡおよびＯＦＤＭＡを使用してもよく、いくつかのサブバンドに対してＳＣ−ＦＤＭＡが使用するものもあれば、他のサブバンド上ではＯＦＤＭＡを使用する。より低いＰＡＰＲを達成し、端末に対する、電力増幅器の要件を緩和するために、リバースリンク上ではＳＣ−ＦＤＭＡを使用することが好ましいかもしれない。より高いシステム容量を潜在的に達成するために、フォワードリンク上ではＯＦＤＭＡを使用することが好ましいかもしれない。
【００２７】
図２は、ワイヤレスデバイス２０２において利用され得るさまざまなコンポーネントを図示している。ワイヤレスデバイス２０２は、ワイヤレス通信システム１００内で用いることができる。ワイヤレスデバイス２０２は、ここで記述するさまざまな方法を実現するように構成され得るデバイスの例である。ワイヤレスデバイス２０２は、基地局１０４またはユーザ端末１０６であってもよい。
【００２８】
ワイヤレスデバイス２０２は、ワイヤレスデバイス２０２の動作を制御するプロセッサ２０４を備えていてもよい。プロセッサ２０４を、中央処理ユニット（ＣＰＵ）と呼ぶこともある。メモリ２０６は、リードオンリーメモリ（ＲＯＭ）およびランダムアクセスメモリ（ＲＡＭ）の双方を含んでいてもよく、命令およびデータをプロセッサ２０４に提供する。メモリ２０６の一部分はまた、不揮発性ランダムアクセスメモリ（ＮＶＲＡＭ）を含んでいてもよい。プロセッサ２０４は、一般的に、メモリ２０６内に記憶されているプログラム命令に基づいて、論理演算および算術演算を実行する。メモリ２０６中の命令は、ここで記述した方法を実現するように実行可能であってもよい。
【００２９】
ワイヤレスデバイス２０２は、ワイヤレスデバイス２０２と遠隔位置との間のデータの送信および受信を可能にする送信機２１０と受信機２１２とを含むハウジング２０８も備えていてもよい。送信機２１０および受信機２１２を、組み合わせて、トランシーバ２１４にしてもよい。アンテナ２１６は、ハウジング２０８に取り付けられていてもよく、トランシーバ２１４に電気的に結合されていてもよい。ワイヤレスデバイス２０２はまた、（示してない）複数の送信機、複数の受信機、複数のトランシーバ、および／または複数のアンテナも備えていてもよい。
【００３０】
ワイヤレスデバイス２０２はまた、信号検出器２１８を備えていてもよく、信号検出器２１８は、トランシーバ２１４により受信した信号のレベルを検出して、量を示すために使用してもよい。信号検出器２１８は、総エネルギーや、シンボルあたりの副搬送波あたりのエネルギーや、電力スペクトル密度や、他の信号として信号を検出できる。ワイヤレスデバイス２０２はまた、信号を処理する際に使用するための、デジタル信号プロセッサ（ＤＳＰ）２２０を備えていてもよい。
【００３１】
ワイヤレスデバイス２０２のさまざまなコンポーネントは、バスシステム２２２によって互いに結合されていてもよく、バスシステム２２２は、データバスに加えて、電力バスや、制御信号バスや、ステータス信号バスを含んでいてもよい。
【００３２】
一般的なＯＦＤＭ送信機では、単一のＯＦＤＭシンボル期間内に、入力データＸ［ｋ］、ｋ＝０、１、．．．、Ｎ−１が送信される。シリアル／パラレル変換、Ｎ−ポイント逆離散フーリエ変換（Ｎ−ＩＦＦＴ）、そしてパラレル／シリアル変換の後、入力データは、下記の離散時間シーケンス：
【数１】
0005575803.tif 000002
【００３３】
に変換される。ここで、ＷN＝ｅj2π/Nは、回転ファクタである。
【００３４】
式（１）より取得される離散時間シーケンスｘ［ｎ］は、サイクリックプレフィックス挿入とデジタルアナログ変換とを受けて、アナログ信号ｘ（ｔ）を取得することができる。その後、さらなる処理のために、アナログ信号を無線周波数（ＲＦ）フロントエンドに送信する。さらなる処理は、ＩＱ変調、アップコンバート、電力増幅を含む。アナログ信号ｘ（ｔ）のＰＡＰＲは、
【数２】
0005575803.tif 000003
【００３５】
と（ｄＢ単位で）定義できる。ここで、Ｔは、サンプルＸ［ｋ］の時間期間であり、Ｎ・Ｔは、ＯＦＤＭブロックの時間期間であり、１／ＮＴは、隣接する副搬送波間の周波数間隔を表す。
【００３６】
アナログ信号ｘ（ｔ）のＰＡＰＲは、一般的に、対応する離散時間シーケンスｘ［ｎ］のＰＡＰＲよりも数ｄＢ単位高くて、ｘ［ｎ／Ｌ］のＰＡＰＲに近い。ここで、ｘ［ｎ／Ｌ］は、ｘ［ｎ］をＬ倍オーバーサンプリングすることによって取得されるシーケンスを表す。したがって、離散時間シーケンスｘ［ｎ／Ｌ］を使用することによって、アナログ信号ｘ（ｔ）のＰＡＰＲは、下記：
【数３】
0005575803.tif 000004
【００３７】
のように、近似させることができる。ここで、Ｅ（・）は、期待値演算である。式（３）によって与えられる近似値は、Ｌ≧４の場合に十分に正確である。
【００３８】
ＯＦＤＭシステムの主な短所のうちの１つは、変調信号のＰＡＰＲが高いことである。ＰＡＰＲが高い変調信号がＲＦフロントエンドを通過するとき、ＲＦ電力増幅器の非線形が原因で、信号が歪むことがある。電力増幅器の非線形は、ビットエラーレート（ＢＥＲ）の増加を招く帯域内信号の歪みを生じさせるだけではなく、隣接チャネルの干渉を招く帯域外輻射も生じさせるかもしれない。この問題に対する直接的な解決策は、より広い線形領域を持つＲＦ増幅器を利用することであろう。しかしながら、これは、電力効率の低下、より高い電力消費や、より高い製造コストを招く。
【００３９】
ＰＡＰＲを低減させるために、ＳＣ−ＦＤＭＡのようなＯＦＤＭ、オフセットＤＦＴ−Ｓ−ＯＦＤＭ（ＤＦＴ拡散ＯＦＤＭ）、予めコード化されているＤＦＴ−Ｓ−ＯＦＤＭの変形のようなさまざまな方法を用いることができる。ＯＦＤＭ信号の発生を修正するこれらの方法では、周波数ドメイン中でデータを副搬送波にマッピングする前に高速フーリエ変換（ＦＦＴ）によって送信データベクトルを拡散することによって、送信信号のＰＡＰＲ特性を向上させることができる。特に、副搬送波によってマッピングされるデータ信号は、最終的な送信ステップにおいて逆高速フーリエ変換（ＩＦＦＴ）が実行されるので、ピーク電力を有する信号の寄与が相殺され、最終的な送信信号の電力変動が減少する。
【００４０】
図３は、一般的なＳＣ−ＦＤＭＡ送信を図示している。シリアルパラレル（Ｓ／Ｐ）コンバータ３１０によって、最初に、時間ドメイン複素入力データを、シリアルストリームからＭ個のシンボルのブロック中のパラレルストリームにコンバートし、Ｍ−ポイントＦＦＴユニット３１２によって周波数ドメインに変換する。Ｎ−ポイントＩＦＦＴユニット３１４によって、Ｍ−ポイントＦＦＴの出力を時間ドメインに変換して戻す。ＩＦＦＴのサイズは、一般的に、ＦＦＴのサイズよりも大きい（すなわち、Ｎ＞Ｍ）ことに留意すべきである。
【００４１】
低周波数成分をスペクトルの中心にシフトさせた後、Ｍ−ポイントＦＦＴユニット３１２の出力が、Ｎ−ポイントＩＦＦＴユニット３１４のＭ個の連続的な入力に接続されている一方で、残り（Ｎ−Ｍ）個の入力はゼロに設定されていてもよい。パラレルシリアル（Ｐ／Ｓ）コンバータ３１６によって、Ｎ−ポイントＩＦＦＴユニット３１４のＮ個のパラレル出力をシリアルストリームにコンバートして、サイクリックプレフィックス（ＣＰ）を付加してもよい複素ベースバンド信号を生じさせ、その後、送信のために、これを無線周波数（ＲＦ）帯域に変換する。Ｍ−ポイントＦＦＴユニット３１２の対応する出力をＮ−ポイントＩＦＦＴユニット３１４のディスジョイント（連続的な）入力に向けることによって、異なるユーザの周波数多重化を達成することができる。
【００４２】
図３に図示したＳＣ−ＦＤＭＡシステムは、マイクロ波アクセスのための世界的共同利用可能（ＷｉＭＡＸ）システムのような従来のＯＦＤＭシステムと比較して、向上したＰＡＰＲを提供することができることは技術的によく知られている。しかしながら、時間および／または周波数ドメイン中でデータサンプルを適切に処理することによってＰＡＰＲをさらに向上させることが可能である。本開示は、このような技術を提案する。
【００４３】
図４では、本開示のいくつかの実施形態にしたがって、ＳＣ−ＦＤＭ送信機において時間および／または周波数ドメイン信号の操作を適用することによって、送信機信号のＰＡＰＲを低減させるための例示的な動作４００を要約している。４１０において、シリアルストリームからの時間ドメインのデータサンプルをパラレルのデータサンプルにコンバートする。４２０において、パラレルのデータサンプル上で時間ドメイン信号の操作を実行して、送信信号のＰＡＰＲのレベルを低減させる。これに続いて、４３０において、ＦＦＴ動作を適用することによって、操作した時間ドメインのデータサンプルを周波数ドメインに変換する。
【００４４】
４４０において、ＰＡＰＲのレベルを低減させる目的で、パラレルの周波数ドメインのデータサンプル上で、周波数ドメイン信号の操作を実行する。４５０において、ＩＦＦＴ動作を適用することによって、周波数ドメインのデータサンプルを変換して時間ドメインに戻す。ＩＦＦＴのサイズは、ＦＦＴのサイズよりも大きい。最後に、４６０において、ベースバンド送信ストリームを発生させるために、ＩＦＦＴのパラレル出力をシリアルストリームにコンバートする。
【００４５】
例示的な時間ドメインＰＡＰＲ低減
本開示の１つの実施形態では、ＦＦＴ動作を適用する前に、時間ドメインのデータサンプル上で位相回転を適用することによって、ＰＡＰＲを低減させることができる。図５は、時間ドメイン信号の位相回転に基づくＰＡＰＲ低減スキームを備えたＳＣ−ＦＤＭＡ送信機の例示的なブロック図を図示している。シリアルパラレル（Ｓ／Ｐ）コンバータ５１０によって、最初に、時間ドメイン入力データサンプルを、シリアルストリームからＭ個のシンボルのブロック中のパラレルのデータストリームにコンバートする。その後、ユニット５１４によるＭ−ポイントＦＦＴ動作を適用する前に、ユニット５１２において、Ｓ／ＰコンバータからのＭ個のパラレル出力を、Ｒ（θ）として表されているＭ×Ｍ複素回転行列で乗算する。Ｎ−ポイントＩＦＦＴユニット５１６によって、Ｍ−ポイントＦＦＴの出力を変換して時間ドメインに戻す。ＩＦＦＴのサイズは、ＦＦＴのサイズよりも大きい（すなわち、Ｎ＞Ｍ）ことに留意すべきである。パラレルシリアル（Ｐ／Ｓ）コンバータ５１８によって、Ｎ−ポイントＩＦＦＴユニット５１６のＮ個のパラレル出力をシリアルストリームに変換し、ＣＰを付加してもよい複素ベースバンド信号を生じさせて、送信のために、これをＲＦ帯域に変換してもよい。
【００４６】
提案する技術はすべての変調スキームに適用可能であるが、バイナリ位相シフトキーイング（ＢＰＳＫ）変調信号の場合には、達成可能なＰＡＰＲの低減を、もっとも大きくすることができる。複素回転行列Ｒ（θ）は、そのゼロでないエントリが、単位円上にすべて位置付けられるＭ×Ｍの対角行列であってもよく、回転行列は、
【数４】
0005575803.tif 000005
【００４７】
と表すことができる。
【００４８】
ＢＰＳＫ変調信号に対する１つの例示的な回転行列では、式（４）からの、回転行列の最初の４つの対角線要素は、
【数５】
0005575803.tif 000006
【００４９】
として与えられてもよく、対角線上の他のすべての項に対して、４つの要素ごとにこのパターンが繰り返されてもよい。対応する副搬送波操作は、下記：
【数６】
0005575803.tif 000007
【００５０】
として与えられてもよく、ここで、Ｓ0、Ｓ1、Ｓ2、Ｓ3、．．．は、図５のＳ／Ｐコンバータ５１０のＢＰＳＫシンボル出力である。
【００５１】
ＢＰＳＫ変調信号に対する別の例示的な回転行列では、式（４）からの、回転行列の最初の８つの対角線要素は、
【数７】
0005575803.tif 000008
【００５２】
として与えられてもよく、対角線上の他のすべての項に対して、８つの要素ごとにこのパターンが繰り返されてもよい。対応する副搬送波の操作は、下記
【数８】
0005575803.tif 000009
【００５３】
として与えられてもよい。ここで、Ｓ0、Ｓ1、Ｓ2、Ｓ3、Ｓ4、Ｓ5、Ｓ6、Ｓ7、．．．は、図５のＳ／Ｐコンバータ５１０のＢＰＳＫシンボル出力である。
【００５４】
図６Ａは、時間ドメイン操作されたバイナリ位相シフトキーイング（ＢＰＳＫ）信号の、結果的に生じる位相配列６１０を図示している。図７Ａは、オリジナル信号と、位相回転されたＢＰＳＫ変調信号との、例示的なＰＡＰＲ性能のグラフを図示している。従来のＢＰＳＫ変調が１８０0の位相遷移をする一方で、Ｒ（θ）による操作は、位相遷移を９０0のみに制限できることを、図６Ａから観察することができる。図７Ａに図示したように、この技術により、ＰＡＰＲを低減させることができる。
【００５５】
ＰＡＰＲ性能を評価するために使用される相補累積分布関数（ＣＣＤＦ）を、
【数９】
0005575803.tif 000010
【００５６】
と定義してもよい。ここで、ＣＤＦは、累積分布関数を表している。指定値ＰＡＰＲ0で評価されたＣＣＤＦは、以下
【数１０】
0005575803.tif 000011
【００５７】
のように、実際のＰＡＰＲに関連する。
【００５８】
したがって、ＣＣＤＦは、実際のＰＡＰＲが、指定値ＰＡＰＲ0よりも大きい可能性を（％で）表している。ＰＡＰＲ値は、一般的に、ｄＢ単位で測定される。
【００５９】
図７Ａ中のプロット７１０は、図３に図示したオリジナルＳＣ−ＦＤＭＡシステムのＰＡＰＲ性能を表している。プロット７２０および７３０は、その対角線要素が、それぞれ、（図７Ａ中で、それぞれ、「ＢＰＳＫ回転方法１」および「ＢＰＳＫ回転方法２」とラベル付けされている）式（５）と式（７）とによって定義されている回転行列Ｒ（θ）に対する、提案する位相回転スキームのＰＡＰＲ性能を表している。提案する位相回転技術は、一般的なＳＣ−ＦＤＭＡシステムと比較して、ＣＣＤＦ＝０．１％に対して、約３ｄＢのＰＡＰＲ低減を得られることが図７Ａから観察できる。
【００６０】
回転行列に基づくＰＡＰＲ低減のための提示する方法を、直角位相シフトキーイング（ＱＰＳＫ）および直角位相振幅変調（ＱＡＭ）信号にも適用してもよい。本開示の１つの実施形態では、ＱＰＳＫ変調信号上に、以下の回転行列
【数１１】
0005575803.tif 000012
【００６１】
を適用してもよい。ここで、式（５）におけるように、主な対角線上で、４つの対角線要素ごとにパターンが繰り返されてもよい。そして、対応する副搬送波の操作は、以下
【数１２】
0005575803.tif 000013
【００６２】
として与えられてもよく、ここで、Ｓ0、Ｓ1、Ｓ2、Ｓ3、．．．は、図５のＳ／Ｐコンバータ５１０のＱＰＳＫシンボル出力である。
【００６３】
本開示のさらなる別の実施形態では、ＱＰＳＫ信号上で、以下の回転行列：
【数１３】
0005575803.tif 000014
【数１４】
0005575803.tif 000015
【００６４】
を適用してもよい。ここで、Ｒ2（θ）＝Ｒ1（θ）*である。対応する副搬送波マッピングは、
【数１５】
0005575803.tif 000016
【００６５】
として与えられてもよい。
【００６６】
図６Ｂは、位相回転されたＱＰＳＫ変調信号の、結果的として生じる位相配列６２０を図示している。図７Ｂは、オリジナル信号と位相回転されたＱＰＳＫ変調される信号の、例示的なＰＡＰＲ性能のグラフを図示している。従来のＢＰＳＫが１８０0の位相遷移をする一方で、Ｒ（θ）による乗算は、遷移を±４５0と±１３５0とだけに制限できることを、図６Ｂから観察することができる。図７Ｂに図示したように、これにより、ＰＡＰＲを低減させることができる。
【００６７】
図７Ｂ中のプロット７４０は、図３中で図示したオリジナルＳＣ−ＦＤＭＡシステムのＰＡＰＲ性能を表している。プロット７５０および７６０は、（図７Ｂ中で「ＱＰＳＫ回転方法１」および「ＱＰＳＫ回転方法２」とそれぞれラベル付けされている）、式（１１）と式（１３）−（１４）とによってそれぞれ与えられた、回転行列Ｒ（θ）に対する、提案する位相回転スキームのＰＡＰＲ性能を表している。提案する位相回転技術は、一般的なＳＣ−ＦＤＭＡシステムと比較して、ＣＣＤＦ＝０．１％に対して、約０．４ｄＢのＰＡＰＲ低減を生じさせ得ることを、図７Ｂから観察できる。
【００６８】
周波数ドメインのサンプルの置換に基づく例示的なＰＡＰＲ低減
本開示のいくつかの実施形態では、周波数ドメインのデータサンプルを置換することによって、ＰＡＰＲのレベルを低減させることができる。図８は、周波数ドメイン置換に基づくＰＡＰＲ低減スキームを備えたＳＣ−ＦＤＭＡの送信機の例示的なブロック図を図示している。シリアルパラレル（Ｓ／Ｐ）コンバータ８１０によって、最初に、時間ドメイン複素入力データを、シリアルストリームからＭ個のシンボルのブロック中のパラレルストリームに変換し、その後、Ｍ−ポイントＦＦＴユニット８１２によってこれを周波数ドメインに変換する。ＦＦＴユニット８１２からのＭ個のパラレル出力を、ユニット８１４によってサイズＭ×Ｍの置換行列Ｐ（ｋ）で乗算してもよい。ユニット８１６によって実行されるＮ−ポイントＩＦＦＴ動作を適用することによって、置換されたパラレル周波数ドメインのデータサンプルをコンバートして時間ドメインに戻す。パラレルシリアル（Ｐ／Ｓ）コンバータ８１８によって、Ｎ−ポイントＩＦＦＴユニット８１６のＮ個のパラレル出力をシリアルストリームにコンバートして、サイクリックプレフィックス（ＣＰ）を付加してもよい複素ベースバンド信号を生じさせ、その後、送信のために、これを無線周波数（ＲＦ）帯域に変換する。
【００６９】
大変数が多い置換行列（例えば、Ｍ！置換行列）もあり得るが、ＦＦＴユニット８１２のＭ個のパラレル出力のシンプルな循環シフトに対応する、限定されたクラスの置換行列について考える。したがって、置換行列Ｐ(k)は、
【数１６】
0005575803.tif 000017
【００７０】
として与えられてもよく、これは、ｎ位置分だけの右方への循環シフトに対応する。
【００７１】
図９Ａ〜図９Ｃは、それぞれ、ＢＰＳＫ、ＱＰＳＫ、１６−ＱＡＭ信号に対する、式（１６）からの置換数ｎの関数として、ＣＣＤＦ＝０．１％に対するＰＡＰＲ値の変動を図示している。これらの結果に基づいて、所望のレベルのＰＡＰＲを取得するために、適切な置換を選択することが可能である。例として、ＢＰＳＫ信号に対して、ｎ＝５０が、最低のＰＡＰＲを生み出す（図９Ａ中のプロット９１０上のポイント９１２を参照）が、一方では、ＱＰＳＫおよび１６−ＱＡＭ信号に対して、ｎ＝４０およびｎ＝５６が、それぞれ、好ましいかもしれない（それぞれ、図９Ｂ中のプロット９２０上のポイント９２２と、図９Ｃ中のプロット９３０上のポイント９３２とを参照）。
【００７２】
図１０は、好ましい周波数ドメイン置換を使用している、ＢＰＳＫ変調、ＱＰＳＫ変調、および１６−ＱＡＭ変調の例示的なＰＡＰＲ性能のグラフを図示している。プロット１０１０、１０３０、および１０５０は、それぞれ、ＢＰＳＫ信号、ＱＰＳＫ信号、および１６−ＱＡＭ信号に対して置換を実行していない場合のＰＡＰＲ性能を表わしている。プロット１０２０は、５０位置分だけ右にサイクリック的にシフトされた、式（１６）の置換行列を、ＢＰＳＫ変調信号に適用した場合のＰＡＰＲ性能を表し、プロット１０４０は、４０位置分だけ右にサイクリック的にシフトされた、式（１６）の置換行列を、ＱＰＳＫ変調信号に適用した場合のＰＡＰＲ性能を表し、プロット１０６０は、５６位置分だけ右にサイクリック的にシフトされた、式（１６）の置換行列を、１６−ＱＡＭ変調信号に適用した場合のＰＡＰＲ性能を表している。すべての変調スキームに対して、特に、ＢＰＳＫ変調信号に対して、ＰＡＰＲ性能の向上を観測することができる。提案する技術により、ＣＣＤＦ＝０．１％に対して、ＢＰＳＫ変調信号について、約３ｄＢのＰＡＰＲ低減を生じさせ、ＣＣＤＦ＝０．１％に対して、ＱＰＳＫ変調信号および１６−ＱＡＭ変調信号に対して、それぞれ、約０．４ｄＢおよび０．１ｄＢのＰＡＰＲ低減を生じさせることができる。
【００７３】
いくつかの実施形態にしたがった、周波数ドメイン置換に基づくＰＡＰＲを低減させるための提案する技術は、いくつかの利点がある。周波数ドメイン中の置換は、乗算器も加算器も必要としないので、実現するには大変簡単である。さらに、所定の変調タイプについて、そして所定の数の副搬送波Ｍについて、好ましい置換の位置を固定してもよいが、この好ましい置換の位置はデータに依存しない。さらに、サイド情報を受信機に伝える必要はない。ＢＰＳＫ変調信号に対しては、大幅なＰＡＰＲ利得を達成できる一方で、ＱＰＳＫ変調信号に対しては、わずかなＰＡＰＲ利得を達成できる。
【００７４】
周波数ドメイン中で帯域幅拡張を使用しての、例示的なＰＡＰＲの低減
図１１は、周波数ドメインの帯域幅の拡張に基づくＰＡＰＲ低減スキームを備えたＳＣ−ＦＤＭＡ送信機の例示的なブロック図を図示している。シリアルパラレル（Ｓ／Ｐ）コンバータ１１１０によって、最初に、時間ドメイン複素入力データを、シリアルストリームからＭ個のシンボルのブロック中のパラレルストリームにコンバートし、Ｍ−ポイントＦＦＴユニット１１１２によって、これを周波数ドメインに変換する。ＢＷ−ＥＸＰユニット１１１４によって表したように、ルートレイズドコサイン（ＲＲＣ）フィルタを適用することによって、ＦＦＴユニット１１１２からのＭ個のパラレル出力を、Ｍ・（１＋α）個のサンプルに拡張して、スケーリングしてもよい。パラメータαは、帯域幅の増大を示している：α＝０は、帯域幅が増大していないことを意味している一方で、α＝１は、帯域幅が１００％増大したことを意味している。
【００７５】
周波数ドメイン中でＲＲＣフィルタを適用するメカニズムを図１２中で図示している。ＭポイントＦＦＴの出力は、シーケンス１２１０を用いて図示したように、２つの（Ｍ／２）個のポイントシーケンスＡとＢとに分割してもよい。帯域幅拡張が適用されない場合、シーケンスＡおよびＢは、Ｎ−ポイントＩＦＦＴユニットの連続的な入力に逆の順序で接続されるだろう（すなわち、シーケンスＡはシーケンスＢの後に続く）、これにより、シーケンス１２１０の真ん中にＤＣ搬送波が出現する。しかしながら、帯域幅拡張のケースでは、シーケンス１２２０を用いて図示したように、Ｎ−ポイントのＩＦＦＴユニットの入力に接続される前に、これらの２つのシーケンスは、繰り返され、ＲＲＣフィルタ１２３０によって重み付けされてもよい。
【００７６】
図１１中で図示したユニット１１１６によって実行されるＮ−ポイントＩＦＦＴ動作を適用することによって、拡張された帯域幅を持つ周波数ドメインのデータサンプルをコンバートして時間ドメインに戻す。パラレルシリアル（Ｐ／Ｓ）コンバータ１１１８によって、ＮポイントＩＦＦＴユニット１１１６のＮ個のパラレル出力をシリアルストリームにコンバートして、サイクリックプレフィックス（ＣＰ）を付加してもよい複素ベースバンド信号を生じさせ、その後、送信のために、これを無線周波数（ＲＦ）帯域に変換する。
【００７７】
図１３Ａ〜図１３Ｃは、帯域幅拡張技術が適用されたときの、それぞれ、ＢＰＳＫ信号、ＱＰＳＫ信号、および１６−ＱＡＭ信号のＰＡＰＲ性能をそれぞれ図示している。０（すなわち、帯域幅拡張しないケース）と、０．１５と、０．２２と、１との帯域幅拡張パラメータαについて考える。帯域幅拡張方法により、ＢＰＳＫ変調信号に対しては大幅なＰＡＰＲ利得が、ＱＰＳＫ変調信号に対しては中位のＰＡＰＲ利得が、１６−ＱＡＭ変調信号に対してはわずかなＰＡＰＲが生じることを、図１３Ａ〜図１３Ｃから観察することができる。
【００７８】
ＰＡＰＲの低減のための例示的な組み合わせ
本開示のいくつかの実施形態は、ＰＡＰＲのさらなる低減を達成するために、周波数ドメインの置換と、帯域幅拡張とを組み合わせたものをサポートする。図１４は、周波数ドメイン中での置換と帯域幅拡張とに基づくＰＡＰＲ低減スキームを備えたＳＣ−ＦＤＭＡ送信機の例示的なブロック図を図示している。
【００７９】
シリアルパラレル（Ｓ／Ｐ）コンバータ１４１０によって、最初に、時間ドメイン複素入力データを、シリアルストリームからＭ個のシンボルのブロック中のパラレルストリームにコンバートして、ＭポイントＦＦＴユニット１４１２によって周波数ドメインに変換する。ユニット１４１４における置換行列Ｐ（ｋ）によって、ＦＦＴユニット１４１２からのＭ個のパラレル出力を最初に置換してもよい。その後、ＢＷ−ＥＸＰユニット１４１６によって示したように、周波数ドメイン中でルートレイズドコサイン（ＲＲＣ）を適用することによって、置換された周波数ドメインのデータサンプルを、Ｍ・（１＋α）サンプルに拡張して、スケーリングしてもよい。パラメータαは、帯域幅の増大を示している：α＝０は、帯域幅は増大していないことを意味している一方で、α＝１は、帯域幅が１００％増大したことを意味している。
【００８０】
ユニット１４１８によって実行されたＮポイントＩＦＦＴ動作を適用することによって、増加した帯域幅を持つ置換された周波数ドメインのデータサンプルをコンバートして時間ドメインに戻す。パラレルシリアル（Ｐ／Ｓ）コンバータ１４２０によって、Ｎ−ポイントＩＦＦＴユニット１４１８のＮ個のパラレル出力をシリアルストリームにコンバートして、サイクリックプレフィックス（ＣＰ）を付加してもよい複素ベースバンド信号を生じさせ、その後、送信のために、これを無線周波数（ＲＦ）に変換する。
【００８１】
図１５は、周波数ドメイン中で置換と帯域幅拡張とを適用したときの、ＱＰＳＫ信号の例示的なＰＡＰＲ性能のグラフを図示している。０、０．１５、０．２２、および１に等しい拡張パラメータαについて考えるとともに、８位置分だけ右にサイクリック的にシフトされた（図１５中でＰ8としてラベル付けした）、式（１６）中で定義された置換行列も適用することができる。ＳＣ−ＦＤＭＡ送信機において、周波数ドメイン置換および帯域幅拡張の両方を適用した場合、大幅なＰＡＰＲ利得を達成できることを、図１５から観察することができる。
【００８２】
本開示のいくつかの実施形態は、ＰＡＰＲ利得を達成するために、周波数ドメイン中の帯域幅拡張と、時間ドメイン位相回転とを組み合わせることをサポートする。図１６は、時間ドメイン回転と周波数ドメインの帯域幅拡張とに基づくＰＡＰＲ低減スキームを備えたＳＣ−ＦＤＭＡ送信機の例示的なブロック図を図示している。
【００８３】
シリアルパラレル（Ｓ／Ｐ）コンバータ１６１０によって、最初に、時間ドメイン複素入力データを、シリアルストリームからＭ個のシンボルのブロック中のパラレルストリームにコンバートする。その後、回転行列Ｒ（θ）を適用することによって、パラレル時間ドメインのデータサンプルの位相をユニット１６１２内で回転させる。回転行列Ｒ（θ）は、式（４）、（５）、（７）、（１１）、および（１３）〜（１４）中で、定義されている。
【００８４】
その後、Ｍ−ポイントＦＦＴユニット１６１４によって、回転された位相を持つパラレル時間ドメインのデータサンプルを周波数ドメインに変換する。ＢＷ−ＥＸＰユニット１６１６によって表したように、周波数ドメイン中でＲＲＣフィルタを適用することによって、ＦＦＴユニット１６１４からのＭ個のパラレル出力を、Ｍ・（１＋α）サンプルに拡張して、スケーリングする。パラメータαは、帯域幅の増大を示す：α＝０は、帯域幅が増大しないことを意味している一方で、α＝１は、帯域幅が１００％増大したことを意味している。
【００８５】
その後、ユニット１６１８によって実行されるＮ−ポイントＩＦＦＴ動作を適用することによって、増大した帯域幅を持つ周波数ドメインのデータサンプルをコンバートして時間ドメインに戻す。パラレルシリアル（Ｐ／Ｓ）コンバータ１６２０によって、Ｎ−ポイントＩＦＦＴユニット１６１８のＮ個のパラレル出力をシリアルストリームにコンバートして、サイクリックプレフィックス（ＣＰ）を付加してもよい複素ベースバンド信号を生じさせ、その後、送信のために、これを無線周波数（ＲＦ）帯域に変換する。
【００８６】
図１７は、時間ドメインの位相回転と周波数ドメイン中の帯域幅拡張とを適用したときの、ＱＰＳＫ変調信号の例示的なＰＡＰＲ性能のグラフを図示している。プロット１７１０は、図３の、一般的なＳＣ−ＦＤＭＡ送信を表している。プロット１７２０は、時間ドメインの位相回転のみを適用したときのケースを表しており、プロット１７３０および１７５０は、それぞれ、０．１５および０．２５の拡張パラメータαで、周波数ドメインにおいて帯域幅拡張のみを適用したときのケースを表している。帯域幅がより高い割合で拡張された場合には、ＰＡＰＲ利得は、より大きいことが観察することができる。プロット１７４０および１７６０は、それぞれ、０．１５および０．２２の拡張パラメータαに対して、時間ドメインの位相回転および帯域幅拡張の両方を適用したときのケースを表している。時間ドメインの位相回転を２２％の帯域幅拡張と組み合わせたときのケースにおいて、最大のＰＡＰＲ利得を達成できることを、観察することができる（すなわち、プロット１７６０）。
【００８７】
ＰＡＰＲ低減のための、例示的な連続位相変調
本開示のいくつかの実施形態は、図１８中で図示したように、ＰＡＰＲ性能を向上させるための、周波数ドメインの帯域幅縮小スキームと組み合わせた、ＳＣ−ＦＤＭＡ送信機における連続位相変調（ＣＰＭ）技術の使用をサポートする。
【００８８】
ユニット１８１２によるＣＰＭ技術を使用して、Ｓ／Ｐコンバータ１８１０からのＫ個のデータポイントをオーバーサンプリング（ＯＳ）して変調し、Ｍ個の時間ドメインポイントを生じさせてもよい。ここで、Ｍ＞Ｋである。ＱＰＳＫ変調信号と、４倍のオーバーサンプリングとに関する例示的なケースを仮定できる。このケースでは、ＯＳおよびＣＰＭ機能は、オリジナル入力複素データポイントの対ごとの間に、３つの補間された複素サンプルを挿入する。例えば、最初の入力配列ポイントが、単に１＋ｊ０であるｅj0であり、かつ、次の配列ポイントが、単に０＋ｊ１であるｅjπ/2である場合に、より細かい位相ステップを持つ大きい位相シフトをブリッジするために、３つの新しいデータポイントｅjπ/8、ｅjπ/4、ｅj3π/8を、２つのオリジナル配列ポイント間に挿入してもよい。
【００８９】
この例示的なアプローチにより、ＰＡＰＲを低減させることができるが、４倍（この例示的なケースでは、Ｍ＝４・Ｋ）だけサンプルの数も増加させることがある。このため、ＢＷ縮小ユニット１８１６によって、図１８中に図示したように、Ｍ−ポイントＦＦＴユニット１８１４の出力においてスペクトルのメインローブのみを保持することによって、Ｎ−ポイントＩＦＦＴユニット１８１８に入るポイントの数を減少させるように提案することができる。
【００９０】
付加的なレベルのフレキシビリティとして、ちょうどＫ個のポイントの代わりに、Ｍ−ポイントＦＦＴユニット１８１４の出力において、Ｋ・（１＋α）個のサンプルを保持できる。ここで、パラメータα＝０は、増加していないことを意味しており、α＝１は、保持されたサンプルの数の１００％の増加を意味している。α＞０の場合には、ＰＡＰＲをさらに向上させるために、メインローブの周波数ドメインＲＲＣフィルタリングをユニット１８１６によって適用してもよい。パラレルシリアル（Ｐ／Ｓ）コンバータ１８２０によって、Ｎ−ポイントＩＦＦＴユニット１８１８のＮ個のパラレル出力をシリアルストリームにコンバートして、サイクリックプレフィックス（ＣＰ）を付加してもよい複素ベースバンド信号を生じさせて、送信のために、これを無線周波数（ＲＦ）に変換する。
【００９１】
図１９Ａは、ＲＲＣフィルタリングせずに、ＣＰＭ技術と帯域幅縮小とを適用したときの、ＱＰＳＫ変調信号の例示的なＰＡＰＲ性能のグラフを図示しており、図１９Ｂは、ＲＲＣフィルタリングとともに、ＣＰＭ技術と帯域幅縮小とを適用したときの、ＱＰＳＫ信号の例示的なＰＡＰＲ性能のグラフを図示している。図１９Ａ〜１９Ｂ中で図示したすべてのシミュレーションに対して、オーバーサンプリング比（ＯＳＲ）は４に等しく、０、０．１５、０．２２、および１のパラメータαについて考える。オーバーサンプリングを帯域幅縮小と組み合わせた場合には、従来のＳＣ−ＦＤＭＡ送信と比較すると、０．１％のＣＣＤＦに対して約５ｄＢのＰＡＰＲ利得を観察することができる。ここで、メインローブの２・Ｋ個のサンプルが保持され、ＲＲＦフィルタリングは適用されない（すなわち、図１９Ａ中の、プロット１９１６対プロット１９１８）。また、ＲＲＣフィルタリングが適用された場合には、約１ｄＢのさらなるＰＡＰＲ利得（合計、約６ｄＢのＰＡＰＲ利得）を達成することができる（すなわち、図１９Ｂ中の、プロット１９２６対プロット１９２８）。
【００９２】
上述した方法のさまざまな動作は、図面で図示したミーンズプラスファンクションブロックに対応している、さまざまなハードウェアおよび／またはソフトウェアコンポーネントおよび／またはモジュールによって実行してもよい。例えば、図４に図示したブロック４１０〜４６０は、図４Ａに図示したミーンズプラスファンクションブロック４１０Ａ〜４６０Ａに対応している。さらに詳細には、対応するもう片方のミーンズプラスファンクションブロックを有する図面で図示した方法が存在する場合、動作ブロックは、番号付けが類似しているミーンズプラスファンクションブロックに対応する。
【００９３】
本開示に関連して記述した、さまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ信号（ＦＰＧＡ）、または他のプログラマブルロジックデバイス（ＰＬＤ）、ディスクリートゲートまたはトランジスタロジック、ディスクリートハードウェアコンポーネント、あるいは、ここで記述した機能を実行するように設計されているこれらの任意の組み合わせで実現しても、あるいは、実行してもよい。汎用プロセッサはマイクロプロセッサであってもよいが、代替実施形態では、プロセッサは、何らかの商業的に利用可能なプロセッサ、制御装置、マイクロ制御装置、または状態機械であってもよい。プロセッサはまた、コンピューティングデバイスの組み合わせとして、例えば、ＤＳＰとマイクロプロセッサの組み合わせとして、複数のマイクロプロセッサとして、ＤＳＰコアに関連した１つ以上のマイクロプロセッサとして、あるいは、このような他の何らかの構成として実現してもよい。
【００９４】
本開示に関連して記述した方法またはアルゴリズムのステップは、ハードウェアで、プロセッサにより実行されるソフトウェアモジュールで、あるいは、２つのものを組み合わせたもので直接的に具現化してもよい。ソフトウェアモジュールは、技術的に知られている何らかの形態の記憶媒体で存在していてもよい。使用され得る記憶媒体のいくつかの例は、ランダムアクセスメモリ（ＲＡＭ）、リードオンリーメモリ（ＲＯＭ）、フラッシュメモリ、ＥＰＲＯＭメモリ、ＥＥＰＲＯＭメモリ、レジスタ、ハードディスク、リムーバルディスク、ＣＤ−ＲＯＭ等を含んでいる。ソフトウェアモジュールは、単一の命令、または、多くの命令を備えていてもよく、いくつかの異なるコードセグメント上で、異なるプログラムの間で、および、複数の記憶媒体を介して、分配してもよい。記憶媒体は、プロセッサが記憶媒体から情報を読み取り、記憶媒体に情報を書き込むことができるようにプロセッサに結合していてもよい。代替実施形態では、記憶媒体はプロセッサと一体化してもよい。
【００９５】
ここで開示した方法は、記述した方法を達成するための、１つ以上のステップまたはアクションを含む。方法ステップおよび／またはアクションは、特許請求の範囲の範囲から逸脱することなく互いに置換可能であってもよい。言い換えると、ステップまたはアクションの特定の順序が指定されていない限り、特許請求の範囲から逸脱しないで、特定のステップおよび／またはアクションの順序および／または使用を改良してもよい。
【００９６】
記述した機能は、ハードウェア、ソフトウェア、ファームウェア、またはこれらの任意の組み合わせで実現してもよい。ソフトウェアで実現した場合、関数は、コンピュータ読み取り可能媒体上で１つ以上の命令として記憶してもよい。記憶媒体は、コンピュータによりアクセスできる任意の利用可能な媒体であってもよい。一例として、このようなコンピュータ読み取り可能媒体は、ＲＡＭ、ＲＯＭ、ＥＥＰＲＯＭ、ＣＤ−ＲＯＭ、または他の光ディスク記憶デバイス、磁気ディスク記憶デバイス、または他の磁気記憶デバイス、あるいは、命令またはデータ構造の形態で所望のプログラムコードを伝送または記憶するために使用できたり、コンピュータによりアクセスできたりする他の何らかの媒体を含むことができるが、これらに限定されるものではない。ここで使用したようなディスク（Ｄｉｓｋおよびｄｉｓｃ）は、コンパクトディスク（ＣＤ）、レーザーディスク（登録商標）、光ディスク、デジタル汎用ディスク（ＤＶＤ）、フロッピー（登録商標）ディスク、ブルーレイ（登録商標）ディスクを含むが、一般的に、ディスク（ｄｉｓｋ）は、データを磁気的に再生する一方で、ディスク（ｄｉｓｃ）はデータをレーザーによって光学的に再生する。
【００９７】
ソフトウェアまたは命令も、送信媒体を通して送信してもよい。例えば、ソフトウェアが、ウェブサイト、サーバ、あるいは同軸ケーブルや、光ファイバケーブルや、撚り対や、デジタル加入者線（ＤＳＬ）、あるいは赤外線、無線、およびマイクロ波のようなワイヤレス技術を使用している他の遠隔ソースから送信された場合、同軸ケーブル、光ファイバケーブル、撚り対、ＤＳＬ、あるいは赤外線、無線、およびマイクロ波のようなワイヤレス技術は、送信媒体の定義に含まれる。
【００９８】
さらに、ここで記述した方法および技術を実行する、モジュールおよび／または他の適切な手段は、ダウンロードすることができ、あるいは／ならびに、そうでなければ、ユーザ端末および／または基地局により、適用可能に取得することができることを正しく認識すべきである。例えば、ここで記述した方法を実行する手段の転送を促進するために、このようなデバイスは、サーバに結合することができる。代替的に、ここで記述したさまざまな方法は、記憶手段（例えば、ＲＡＭ、ＲＯＭ、コンパクトディスク（ＣＤ）、またはフロッピーディスク等のような物理的な記憶媒体）を通して提供でき、これにより、ユーザ端末および／または基地局は、記憶手段をデバイスに結合または提供すると、さまざまな方法を取得することができる。さらに、ここで記述した方法および技術をデバイスに提供する他の任意の適した技術を利用することができる。
【００９９】
特許請求の範囲は上記で説明した厳密な構成およびコンポーネントに限定されるものではないことを理解すべきである。上述した方法および装置の、配置、動作および詳細において、特許請求の範囲から逸脱することなく、さまざまな改良、変更、バリエーションを行うことができる。
以下に、本願出願の当初の特許請求の範囲に記載された発明を付記する。
〔１〕単一搬送波周波数分割多元接続（ＳＣ−ＦＤＭＡ）を使用する通信システムのための送信方法において、
変調シンボルのデータのシリアルからパラレルへのコンバートを実行して、第１のシーケンスのサンプルを取得することと、
前記第１のシーケンスのサンプル上で時間から周波数への変換を実行して、第２のシーケンスのサンプルを取得することと、
前記第２のシーケンスのサンプルの周波数ドメインの操作を実行して、第３のシーケンスのサンプルを取得することと、
前記第３のシーケンスのサンプル上で周波数から時間への変換を実行して、第４のシーケンスのサンプルを取得することと、
前記第４のシーケンスのサンプルのパラレルからシリアルへのコンバートを実行して、第５のシーケンスのサンプルを取得することと、
ワイヤレスチャネルを通して、前記第５のシーケンスのサンプルを送信することとを含み、
前記第４のシーケンスのサンプルの数は、前記第２のシーケンスのサンプルの数よりも多い送信方法。
〔２〕前記第１のシーケンスのサンプル上で変換を実行して、第２のシーケンスのサンプルを取得することは、高速フーリエ変換（ＦＦＴ）を実行することを含み、
前記第３のシーケンスのサンプル上で変換を実行して、第４のシーケンスのサンプルを取得することは、逆高速フーリエ変換（ＩＦＦＴ）を実行することを含む〔１〕記載の方法。
〔３〕前記第２のシーケンスのサンプルの周波数ドメインの操作を実行して、第３のシーケンスのサンプルを取得することは、前記第２のシーケンスのサンプルを置換することを含む〔１〕記載の方法。
〔４〕前記第２のシーケンスのサンプルを置換することは、前記第２のシーケンスのサンプルを右方にサイクリックシフトすることを含む〔３〕記載の方法。
〔５〕前記第２のシーケンスのサンプルの周波数ドメインの操作を実行して、第３のシーケンスのサンプルを取得することは、
前記第２のシーケンスのサンプルを置換することと、
前記置換した前記第２のシーケンスのサンプルの帯域幅を拡張することと、
前記拡張した帯域幅を持つ前記置換した前記第２のシーケンスのサンプルをフィルタリングすることとを含み、
前記第３のシーケンスのサンプルの数は、前記第２のシーケンスのサンプルの数よりも多い〔１〕記載の方法。
〔６〕フィルタリングすることは、ルートレイズドコサイン（ＲＲＣ）フィルタリングを含む〔５〕記載の方法。
〔７〕単一搬送波周波数分割多元接続（ＳＣ−ＦＤＭＡ）を使用する通信システムのための送信方法において、
変調シンボルのデータのシリアルからパラレルへのコンバートを実行して、第１のシーケンスのサンプルを取得することと、
前記第１のシーケンスのサンプルの時間ドメインの操作を実行して、第２のシーケンスのサンプルを取得することと、
前記第２のシーケンスのサンプル上で時間から周波数への変換を実行して、第３のシーケンスのサンプルを取得することと、
前記第３のシーケンスのサンプルの周波数ドメインの操作を実行して、第４のシーケンスのサンプルを取得することと、
前記第４のシーケンスのサンプル上で周波数から時間への変換を実行して、第５のシーケンスのサンプルを取得することと、
前記第５のシーケンスのサンプルのパラレルからシリアルへのコンバートを実行して、第６のシーケンスのサンプルを取得することと、
ワイヤレスチャネルを通して、前記第６のシーケンスのサンプルを送信することとを含み、
前記第５のシーケンスのサンプルの数は、前記第３のシーケンスのサンプルの数よりも多い送信方法。
〔８〕前記第２のシーケンスのサンプル上で変換を実行して、第３のシーケンスのサンプルを取得することは、高速フーリエ変換（ＦＦＴ）を実行することを含み、
前記第４のシーケンスのサンプル上で変換を実行して、第５のシーケンスのサンプルを取得することは、逆高速フーリエ変換（ＩＦＦＴ）を実行することを含む〔７〕記載の方法。
〔９〕前記第１のシーケンスのサンプルの時間ドメインの操作を実行して、第２のシーケンスのサンプルを取得することは、前記第１のシーケンスのサンプルの位相を回転させることを含み、
前記第３のシーケンスのサンプルの周波数ドメインの操作を実行して、第４のシーケンスのサンプルを取得することは、前記第３のシーケンスのサンプルの帯域幅を拡張することと、前記拡張した帯域幅を持つ前記第３のシーケンスのサンプルをフィルタリングすることとを含む〔７〕記載の方法。
〔１０〕前記第４のシーケンスのサンプルの数は、前記第３のシーケンスのサンプルの数よりも多い〔９〕記載の方法。
〔１１〕フィルタリングすることは、ルートレイズドコサイン（ＲＲＣ）フィルタリングを含む〔９〕記載の方法。
〔１２〕前記第１のシーケンスのサンプルの時間ドメインの操作を実行して、第２のシーケンスのサンプルを取得することは、前記第１のシーケンスのサンプルの、オーバーサンプリングと連続位相変調とを含み、
前記第３のシーケンスのサンプルの周波数ドメインの操作を実行して、第４のシーケンスのサンプルを取得することは、前記第３のシーケンスのサンプルの帯域幅を低減させることと、前記低減された帯域幅を持つ前記第３のシーケンスのサンプルをフィルタリングすることとを含む〔７〕記載の方法。
〔１３〕前記第２のシーケンスのサンプルの数は、前記第１のシーケンスのサンプルの数よりも多く、前記第４のシーケンスのサンプルの数は、前記第３のシーケンスのサンプルの数よりも少ない〔１２〕記載の方法。
〔１４〕フィルタリングすることは、ルートレイズドコサイン（ＲＲＣ）フィルタリングを含む〔１２〕記載の方法。
〔１５〕単一搬送波周波数分割多元接続（ＳＣ−ＦＤＭＡ）を使用する通信システムのための装置において、
変調シンボルのデータのシリアルからパラレルへのコンバートを実行して、第１のシーケンスのサンプルを取得するロジックと、
前記第１のシーケンスのサンプル上で時間から周波数への変換を実行して、第２のシーケンスのサンプルを取得するロジックと、
前記第２のシーケンスのサンプルの周波数ドメインの操作を実行して、第３のシーケンスのサンプルを取得するロジックと、
前記第３のシーケンスのサンプル上で周波数から時間への変換を実行して、第４のシーケンスのサンプルを取得するロジックと、
前記第４のシーケンスのサンプルのパラレルからシリアルへのコンバートを実行して、第５のシーケンスのサンプルを取得するロジックと、
ワイヤレスチャネルを通して、前記第５のシーケンスのサンプルを送信するロジックとを具備し、
前記第４のシーケンスのサンプルの数は、前記第２のシーケンスのサンプルの数よりも多い装置。
〔１６〕前記第１のシーケンスのサンプル上で変換を実行して、第２のシーケンスのサンプルを取得するロジックは、高速フーリエ変換（ＦＦＴ）を実行するロジックを含み、
前記第３のシーケンスのサンプル上で変換を実行して、第４のシーケンスのサンプルを取得するロジックは、逆高速フーリエ変換（ＩＦＦＴ）を実行するロジックを含む〔１５〕記載の装置。
〔１７〕前記第２のシーケンスのサンプルの周波数ドメインの操作を実行して、第３のシーケンスのサンプルを取得するロジックは、前記第２のシーケンスのサンプルを置換するロジックを含む〔１５〕記載の装置。
〔１８〕前記第２のシーケンスのサンプルを置換するロジックは、前記第２のシーケンスのサンプルを右方にサイクリックシフトするロジックを含む〔１７〕記載の装置。
〔１９〕前記第２のシーケンスのサンプルの周波数ドメインの操作を実行して、第３のシーケンスのサンプルを取得するロジックは、
前記第２のシーケンスのサンプルを置換するロジックと、
前記置換した前記第２のシーケンスのサンプルの帯域幅を拡張するロジックと、
前記拡張した帯域幅を持つ前記置換した前記第２のシーケンスのサンプルをフィルタリングするロジックとを含み、
前記第３のシーケンスのサンプルの数は、前記第２のシーケンスのサンプルの数よりも多い〔１５〕記載の装置。
〔２０〕前記フィルタリングするロジックは、ルートレイズドコサイン（ＲＲＣ）フィルタリングするロジックを含む〔１９〕記載の装置。
〔２１〕単一搬送波周波数分割多元接続（ＳＣ−ＦＤＭＡ）を使用する通信システムのための装置において、
変調シンボルのデータのシリアルからパラレルへのコンバートを実行して、第１のシーケンスのサンプルを取得するロジックと、
前記第１のシーケンスのサンプルの時間ドメインの操作を実行して、第２のシーケンスのサンプルを取得するロジックと、
前記第２のシーケンスのサンプル上で時間から周波数への変換を実行して、第３のシーケンスのサンプルを取得するロジックと、
前記第３のシーケンスのサンプルの周波数ドメインの操作を実行して、第４のシーケンスのサンプルを取得するロジックと、
前記第４のシーケンスのサンプル上で周波数から時間への変換を実行して、第５のシーケンスのサンプルを取得するロジックと、
前記第５のシーケンスのサンプルのパラレルからシリアルへのコンバートを実行して、第６のシーケンスのサンプルを取得するロジックと、
ワイヤレスチャネルを通して、前記第６のシーケンスのサンプルを送信するロジックとを具備し、
前記第５のシーケンスのサンプルの数は、前記第３のシーケンスのサンプルの数よりも多い装置。
〔２２〕前記第２のシーケンスのサンプル上で変換を実行して、第３のシーケンスのサンプルを取得するロジックは、高速フーリエ変換（ＦＦＴ）を実行するロジックを含み、
前記第４のシーケンスのサンプル上で変換を実行して、第５のシーケンスのサンプルを取得するロジックは、逆高速フーリエ変換（ＩＦＦＴ）を実行するロジックを含む〔２１〕記載の装置。
〔２３〕前記第１のシーケンスのサンプルの時間ドメインの操作を実行して、第２のシーケンスのサンプルを取得するロジックは、前記第１のシーケンスのサンプルの位相を回転させるロジックを含み、
前記第３のシーケンスのサンプルの周波数ドメインの操作を実行して、第４のシーケンスのサンプルを取得するロジックは、前記第３のシーケンスのサンプルの帯域幅を拡張するロジックと、前記拡張した帯域幅を持つ前記第３のシーケンスのサンプルをフィルタリングするロジックとを含む〔２１〕記載の装置。
〔２４〕前記第４のシーケンスのサンプルの数は、前記第３のシーケンスのサンプルの数よりも多い〔２３〕記載の装置。
〔２５〕前記フィルタリングするロジックは、ルートレイズドコサイン（ＲＲＣ）フィルタリングするロジックを含む〔２３〕記載の装置。
〔２６〕前記第１のシーケンスのサンプルの時間ドメインの操作を実行して、第２のシーケンスのサンプルを取得するロジックは、前記第１のシーケンスのサンプルの、オーバーサンプリングと連続位相変調とのためのロジックを含み、
前記第３のシーケンスのサンプルの周波数ドメインの操作を実行して、第４のシーケンスのサンプルを取得するロジックは、前記第３のシーケンスのサンプルの帯域幅を低減させるロジックと、前記低減された帯域幅を持つ前記第３のシーケンスのサンプルをフィルタリングするロジックとを含む〔２１〕記載の装置。
〔２７〕前記第２のシーケンスのサンプルの数は、前記第１のシーケンスのサンプルの数よりも多く、前記第４のシーケンスのサンプルの数は、前記第３のシーケンスのサンプルの数よりも少ない〔２６〕記載の装置。
〔２８〕前記フィルタリングするロジックは、ルートレイズドコサイン（ＲＲＣ）フィルタリングするロジックを含む〔２６〕記載の装置。
〔２９〕単一搬送波周波数分割多元接続（ＳＣ−ＦＤＭＡ）を使用する通信システムのための装置において、
変調シンボルのデータのシリアルからパラレルへのコンバートを実行して、第１のシーケンスのサンプルを取得する手段と、
前記第１のシーケンスのサンプル上で時間から周波数への変換を実行して、第２のシーケンスのサンプルを取得する手段と、
前記第２のシーケンスのサンプルの周波数ドメインの操作を実行して、第３のシーケンスのサンプルを取得する手段と、
前記第３のシーケンスのサンプル上で周波数から時間への変換を実行して、第４のシーケンスのサンプルを取得する手段と、
前記第４のシーケンスのサンプルのパラレルからシリアルへのコンバートを実行して、第５のシーケンスのサンプルを取得する手段と、
ワイヤレスチャネルを通して、前記第５のシーケンスのサンプルを送信する手段とを具備し、
前記第４のシーケンスのサンプルの数は、前記第２のシーケンスのサンプルの数よりも多い装置。
〔３０〕前記第１のシーケンスのサンプル上で変換を実行して、第２のシーケンスのサンプルを取得する手段は、高速フーリエ変換（ＦＦＴ）を実行する手段を含み、
前記第３のシーケンスのサンプル上で変換を実行して、第４のシーケンスのサンプルを取得する手段は、逆高速フーリエ変換（ＩＦＦＴ）を実行する手段を含む〔２９〕記載の装置。
〔３１〕前記第２のシーケンスのサンプルの周波数ドメインの操作を実行して、第３のシーケンスのサンプルを取得する手段は、前記第２のシーケンスのサンプルを置換する手段を含む〔２９〕記載の装置。
〔３２〕前記第２のシーケンスのサンプルを置換する手段は、前記第２のシーケンスのサンプルを右方にサイクリックシフトする手段を含む〔３１〕記載の装置。
〔３３〕前記第２のシーケンスのサンプルの周波数ドメインの操作を実行して、第３のシーケンスのサンプルを取得する手段は、
前記第２のシーケンスのサンプルを置換する手段と、
前記置換した前記第２のシーケンスのサンプルの帯域幅を拡張する手段と、
前記拡張した帯域幅を持つ前記置換した前記第２のシーケンスのサンプルをフィルタリングする手段とを含み、
前記第３のシーケンスのサンプルの数は、前記第２のシーケンスのサンプルの数よりも多い〔２９〕記載の装置。
〔３４〕前記フィルタリングする手段は、ルートレイズドコサイン（ＲＲＣ）フィルタリングする手段を含む〔３３〕記載の装置。
〔３５〕単一搬送波周波数分割多元接続（ＳＣ−ＦＤＭＡ）を使用する通信システムのための装置において、
変調シンボルのデータのシリアルからパラレルへのコンバートを実行して、第１のシーケンスのサンプルを取得する手段と、
前記第１のシーケンスのサンプルの時間ドメインの操作を実行して、第２のシーケンスのサンプルを取得する手段と、
前記第２のシーケンスのサンプル上で時間から周波数への変換を実行して、第３のシーケンスのサンプルを取得する手段と、
前記第３のシーケンスのサンプルの周波数ドメインの操作を実行して、第４のシーケンスのサンプルを取得する手段と、
前記第４のシーケンスのサンプル上で周波数から時間への変換を実行して、第５のシーケンスのサンプルを取得する手段と、
前記第５のシーケンスのサンプルのパラレルからシリアルへのコンバートを実行して、第６のシーケンスのサンプルを取得する手段と、
ワイヤレスチャネルを通して、前記第６のシーケンスのサンプルを送信する手段とを具備し、
前記第５のシーケンスのサンプルの数は、前記第３のシーケンスのサンプルの数よりも多い装置。
〔３６〕前記第２のシーケンスのサンプル上で変換を実行して、第３のシーケンスのサンプルを取得する手段は、高速フーリエ変換（ＦＦＴ）を実行する手段を含み、
前記第４のシーケンスのサンプル上で変換を実行して、第５のシーケンスのサンプルを取得する手段は、逆高速フーリエ変換（ＩＦＦＴ）を実行する手段を含む〔３５〕記載の装置。
〔３７〕前記第１のシーケンスのサンプルの時間ドメインの操作を実行して、第２のシーケンスのサンプルを取得する手段は、前記第１のシーケンスのサンプルの位相を回転させる手段を含み、
前記第３のシーケンスのサンプルの周波数ドメインの操作を実行して、第４のシーケンスのサンプルを取得する手段は、前記第３のシーケンスのサンプルの帯域幅を拡張する手段と、前記拡張した帯域幅を持つ前記第３のシーケンスのサンプルをフィルタリングする手段とを含む〔３５〕記載の装置。
〔３８〕前記第４のシーケンスのサンプルの数は、前記第３のシーケンスのサンプルの数よりも多い〔３７〕記載の装置。
〔３９〕前記フィルタリングする手段は、ルートレイズドコサイン（ＲＲＣ）フィルタリングする手段を含む〔３７〕記載の装置。
〔４０〕前記第１のシーケンスのサンプルの時間ドメインの操作を実行して、第２のシーケンスのサンプルを取得する手段は、前記第１のシーケンスのサンプルの、オーバーサンプリングと連続位相変調とのための手段を含み、
前記第３のシーケンスのサンプルの周波数ドメインの操作を実行して、第４のシーケンスのサンプルを取得する手段は、前記第３のシーケンスのサンプルの帯域幅を低減させる手段と、前記低減された帯域幅を持つ前記第３のシーケンスのサンプルをフィルタリングする手段とを含む〔３５〕記載の装置。
〔４１〕前記第２のシーケンスのサンプルの数は、前記第１のシーケンスのサンプルの数よりも多く、前記第４のシーケンスのサンプルの数は、前記第３のシーケンスのサンプルの数よりも少ない〔４０〕記載の装置。
〔４２〕前記フィルタリングする手段は、ルートレイズドコサイン（ＲＲＣ）フィルタリングする手段を含む〔４０〕記載の装置。
〔４３〕単一搬送波周波数分割多元接続（ＳＣ−ＦＤＭＡ）を使用する通信システムのためのコンピュータプログラムプロダクトにおいて、
コンピュータプログラムプロダクトは、コンピュータ読み取り可能媒体を含み、
コンピュータ読み取り可能媒体は、ここに記憶されている命令を有し、
前記命令は、１つ以上のプロセッサによって実行可能であり、
前記命令は、
変調シンボルのデータのシリアルからパラレルへのコンバートを実行して、第１のシーケンスのサンプルを取得する命令と、
前記第１のシーケンスのサンプル上で時間から周波数への変換を実行して、第２のシーケンスのサンプルを取得する命令と、
前記第２のシーケンスのサンプルの周波数ドメインの操作を実行して、第３のシーケンスのサンプルを取得する命令と、
前記第３のシーケンスのサンプル上で周波数から時間への変換を実行して、第４のシーケンスのサンプルを取得する命令と、
前記第４のシーケンスのサンプルのパラレルからシリアルへのコンバートを実行して、第５のシーケンスのサンプルを取得する命令と、
ワイヤレスチャネルを通して、前記第５のシーケンスのサンプルを送信する命令とを含み、
前記第４のシーケンスのサンプルの数は、前記第２のシーケンスのサンプルの数よりも多いコンピュータプログラムプロダクト。
〔４４〕前記第１のシーケンスのサンプル上で変換を実行して、第２のシーケンスのサンプルを取得する命令は、高速フーリエ変換（ＦＦＴ）を実行する命令を含み、
前記第３のシーケンスのサンプル上で変換を実行して、第４のシーケンスのサンプルを取得する命令は、逆高速フーリエ変換（ＩＦＦＴ）を実行する命令を含む〔４３〕記載のコンピュータプログラムプロダクト。
〔４５〕前記第２のシーケンスのサンプルの周波数ドメインの操作を実行して、第３のシーケンスのサンプルを取得する命令は、前記第２のシーケンスのサンプルを置換する命令を含む〔４３〕記載のコンピュータプログラムプロダクト。
〔４６〕前記第２のシーケンスのサンプルを置換する命令は、前記第２のシーケンスのサンプルを右方にサイクリックシフトする命令を含む〔４５〕記載のコンピュータプログラムプロダクト。
〔４７〕前記第２のシーケンスのサンプルの周波数ドメインの操作を実行して、第３のシーケンスのサンプルを取得する命令は、
前記第２のシーケンスのサンプルを置換する命令と、
前記置換した前記第２のシーケンスのサンプルの帯域幅を拡張する命令と、
前記拡張した帯域幅を持つ前記置換した前記第２のシーケンスのサンプルをフィルタリングする命令とを含み、
前記第３のシーケンスのサンプルの数は、前記第２のシーケンスのサンプルの数よりも多い〔４３〕記載のコンピュータプログラムプロダクト。
〔４８〕前記フィルタリングする命令は、ルートレイズドコサイン（ＲＲＣ）フィルタリングする命令を含む〔４７〕記載のコンピュータプログラムプロダクト。
〔４９〕単一搬送波周波数分割多元接続（ＳＣ−ＦＤＭＡ）を使用する通信システムのためのコンピュータプログラムプロダクトにおいて、
コンピュータプログラムプロダクトは、コンピュータ読み取り可能媒体を含み、
コンピュータ読み取り可能媒体は、ここに記憶されている命令を有し、
前記命令は、１つ以上のプロセッサによって実行可能であり、
前記命令は、
変調シンボルのデータのシリアルからパラレルへのコンバートを実行して、第１のシーケンスのサンプルを取得する命令と、
前記第１のシーケンスのサンプルの時間ドメインの操作を実行して、第２のシーケンスのサンプルを取得する命令と、
前記第２のシーケンスのサンプル上で時間から周波数への変換を実行して、第３のシーケンスのサンプルを取得する命令と、
前記第３のシーケンスのサンプルの周波数ドメインの操作を実行して、第４のシーケンスのサンプルを取得する命令と、
前記第４のシーケンスのサンプル上で周波数から時間への変換を実行して、第５のシーケンスのサンプルを取得する命令と、
前記第５のシーケンスのサンプルのパラレルからシリアルへのコンバートを実行して、第６のシーケンスのサンプルを取得する命令と、
ワイヤレスチャネルを通して、前記第６のシーケンスのサンプルを送信する命令とを含み、
前記第５のシーケンスのサンプルの数は、前記第３のシーケンスのサンプルの数よりも多いコンピュータプログラムプロダクト。
〔５０〕前記第２のシーケンスのサンプル上で変換を実行して、第３のシーケンスのサンプルを取得する命令は、高速フーリエ変換（ＦＦＴ）を実行する命令を含み、
前記第４のシーケンスのサンプル上で変換を実行して、第５のシーケンスのサンプルを取得する命令は、逆高速フーリエ変換（ＩＦＦＴ）を実行する命令を含む〔４９〕記載のコンピュータプログラムプロダクト。
〔５１〕前記第１のシーケンスのサンプルの時間ドメインの操作を実行して、第２のシーケンスのサンプルを取得する命令は、前記第１のシーケンスのサンプルの位相を回転させる命令を含み、
前記第３のシーケンスのサンプルの周波数ドメインの操作を実行して、第４のシーケンスのサンプルを取得する命令は、前記第３のシーケンスのサンプルの帯域幅を拡張する命令と、前記拡張した帯域幅を持つ前記第３のシーケンスのサンプルをフィルタリングする命令とを含む〔４９〕記載のコンピュータプログラムプロダクト。
〔５２〕前記第４のシーケンスのサンプルの数は、前記第３のシーケンスのサンプルの数よりも多い〔５１〕記載のコンピュータプログラムプロダクト。
〔５３〕前記フィルタリングする命令は、ルートレイズドコサイン（ＲＲＣ）フィルタリングする命令を含む〔５１〕記載のコンピュータプログラムプロダクト。
〔５４〕前記第１のシーケンスのサンプルの時間ドメインの操作を実行して、第２のシーケンスのサンプルを取得する命令は、前記第１のシーケンスのサンプルの、オーバーサンプリングと連続位相変調とのための命令を含み、
前記第３のシーケンスのサンプルの周波数ドメインの操作を実行して、第４のシーケンスのサンプルを取得する命令は、前記第３のシーケンスのサンプルの帯域幅を低減させる命令と、前記低減された帯域幅を持つ前記第３のシーケンスのサンプルをフィルタリングする命令とを含む〔４９〕記載のコンピュータプログラムプロダクト。
〔５５〕前記第２のシーケンスのサンプルの数は、前記第１のシーケンスのサンプルの数よりも多く、前記第４のシーケンスのサンプルの数は、前記第３のシーケンスのサンプルの数よりも少ない〔５４〕記載のコンピュータプログラムプロダクト。
〔５６〕前記フィルタリングする命令は、ルートレイズドコサイン（ＲＲＣ）フィルタリングする命令を含む〔５４〕記載のコンピュータプログラムプロダクト。
【図１】
0005575803.tif 000018
【図２】
0005575803.tif 000019
【図３】
0005575803.tif 000020
【図４】
0005575803.tif 000021
【図４Ａ】
0005575803.tif 000022
【図５】
0005575803.tif 000023
【図６Ａ】
0005575803.tif 000024
【図６Ｂ】
0005575803.tif 000025
【図７Ａ】
0005575803.tif 000026
【図７Ｂ】
0005575803.tif 000027
【図８】
0005575803.tif 000028
【図９Ａ】
0005575803.tif 000029
【図９Ｂ】
0005575803.tif 000030
【図９Ｃ】
0005575803.tif 000031
【図１０】
0005575803.tif 000032
【図１１】
0005575803.tif 000033
【図１２】
0005575803.tif 000034
【図１３Ａ】
0005575803.tif 000035
【図１３Ｂ】
0005575803.tif 000036
【図１３Ｃ】
0005575803.tif 000037
【図１４】
0005575803.tif 000038
【図１５】
0005575803.tif 000039
【図１６】
0005575803.tif 000040
【図１７】
0005575803.tif 000041
【図１８】
0005575803.tif 000042
【図１９Ａ】
0005575803.tif 000043
【図１９Ｂ】
0005575803.tif 000044